(57)【特許請求の範囲】
【請求項１】
マルチキャリア信号（ＲＦＳ）を条件付ける送信機装置（ＴＡ、ＴＡ１、ＴＡ２−１、ＴＡ２−２、ＴＡ３、ＴＡ４）であって、
−  前記マルチキャリア信号（ＲＦＳ）のサブキャリアを、前記サブキャリアの第１のグループを含む第１の周波数ブロック（ＦＢ−１、ＦＢ−１ｂ）と、前記サブキャリアの少なくとも第２のグループを含む少なくとも第２の周波数ブロック（ＦＢ−２、．．．、ＦＢ−Ｍ、ＦＢ−２ｂ、ＦＢ−Ｍｂ）とにグループ化する手段（ＦＥ−ＰＵ）と、
−  前記第１の周波数ブロック（ＦＢ−１、ＦＢ−１ｂ）および前記少なくとも第２の周波数ブロック（ＦＢ−２、．．．、ＦＢ−Ｍ、ＦＢ−２ｂ、ＦＢ−Ｍｂ）のフーリエ変換を実施して、時間領域信号の第１の部分（ＴＤＳ−１、ＴＤＳ−２１、ＴＤＳ−２１ａ、ＴＤＳ−１ａ）および少なくとも第２の部分（ＴＤＳ−２、．．．、ＴＤＳ−Ｍ、ＴＤＳ−２２、．．．、ＴＤＳ−２Ｍ、ＴＤＳ−２２ａ、．．．、ＴＤＳ−２Ｍａ、ＴＤＳ−２ａ、．．．、ＴＤＳ−Ｍａ）を生成する手段（ＩＦＦＴ−ＰＵ、ＩＤＦＴ−１、．．．、ＩＤＦＴ−Ｍ、ＩＤＦＴ−ｌａ、．．．、ＩＤＦＴ−Ｍａ、ＩＦＦＴ−１、．．．、ＩＦＦＴ−Ｍ）と、
−  前記第１の部分（ＴＤＳ−１、ＴＤＳ−２１、ＴＤＳ−２１ａ、ＴＤＳ−１ａ）をフィルタリングするための、および前記第１の周波数ブロック（ＦＢ−１、ＦＢ−１１ｂ）の外側で側波帯抑制をする第１のフィルタリング手段（ＬＰＦ−１、ＢＰＦ−１）であって、ユニバーサル・フィルタ式マルチキャリア信号を生成するように構成された、第１のフィルタリング手段と、
−  前記少なくとも第２の部分（ＴＤＳ−２、．．．、ＴＤＳ−Ｍ、ＴＤＳ−２２、．．．、ＴＤＳ−２Ｍ、ＴＤＳ−２２ａ、．．．、ＴＤＳ−２Ｍａ、ＴＤＳ−２ａ、．．．、ＴＤＳ−Ｍａ）をフィルタリングするための、および前記少なくとも第２の周波数ブロック（ＦＢ−２、．．．、ＦＢ−Ｍ、ＦＢ−２ｂ、ＦＢ−Ｍｂ）の外側で同時および別個の側波帯抑制をする少なくとも第２のフィルタリング手段（ＬＰＦ−２、．．．、ＬＰＦ−Ｍ、ＢＰＦ−２、．．．、ＢＰＦ−Ｍ）であって、ユニバーサル・フィルタ式マルチキャリア信号を生成するように構成された、少なくとも第２のフィルタリング手段と、
−時間領域信号の前記第１の部分および前記少なくとも第２の部分を重ね合わせ、または付加し、総合時間領域信号を生成するように構成されたコンバイナと、
前記総合時間領域信号をアナログ時間領域信号に変換するように構成されたデジタル−アナログ・コンバータ・ユニットと、
前記アナログ時間領域信号をアップコンバートし、最終中心周波数位置にシフトされている無線周波数信号を生成するように構成されたミキサと、
前記無線周波数信号を増幅して増幅済み無線周波数信号を生成する電力増幅器と、
前記増幅済み無線周波数信号をフィルタリングしてアンテナ・システムに加えられる無線周波数信号を生成するバックエンド処理ユニットと
を備える送信機装置（ＴＡ、ＴＡ１、ＴＡ２−１、ＴＡ２−２、ＴＡ３、ＴＡ４）。
【請求項２】
前記フーリエ変換を実施する前記手段（ＩＦＦＴ−ＰＵ）が、単一の逆高速フーリエ変換を実施するように適合され、また前記第１のフィルタリング手段（ＬＰＦ−１）および前記少なくとも第２のフィルタリング手段（ＬＰＦ−２、．．．、ＬＰＦ−Ｍ）がローパス・フィルタである、請求項１に記載の送信機装置（ＴＡ、ＴＡ１）。
【請求項３】
前記フーリエ変換を実施する前記手段（ＩＤＦＴ−１、．．．、ＩＤＦＴ−Ｍ）のうちの第１の手段（ＩＤＦＴ−１）が、前記第１の周波数ブロック（ＦＢ−１、ＦＢ−１ｂ）の第１の逆離散フーリエ変換を実施するように適合され、また前記フーリエ変換を実施する前記手段（ＩＤＦＴ−１、．．．、ＩＤＦＴ−Ｍ）のうちの少なくとも第２の手段（ＩＤＦＴ−２、．．．、ＩＤＦＴ−Ｍ）が、前記少なくとも第２の周波数ブロック（ＦＢ−２、．．．、ＦＢ−Ｍ、ＦＢ−２ｂ、ＦＢ−Ｍｂ）の少なくとも第２の逆離散フーリエ変換を実施するように適合される、請求項１に記載の送信機装置（ＴＡ、ＴＡ２−１、ＴＡ２−２）。
【請求項４】
前記フーリエ変換を実施する前記手段（ＩＤＦＴ−１、．．．、ＩＤＦＴ−Ｍ）のうちの前記第１の手段（ＩＤＦＴ−１）がさらに、前記第１の周波数ブロック（ＦＢ−１、ＦＢ−１ｂ）について第１の周波数範囲へ第１の周波数シフトを実施するように適合され、前記フーリエ変換を実施する前記手段（ＩＤＦＴ−１、．．．、ＩＤＦＴ−Ｍ）のうちの前記少なくとも第２の手段（ＩＤＦＴ−２、．．．、ＩＤＦＴ−Ｍ）がさらに、前記少なくとも第２の周波数ブロック（ＦＢ−２、．．．、ＦＢ−Ｍ、ＦＢ−２ｂ、ＦＢ−Ｍｂ）について少なくとも第２の周波数範囲へ少なくとも第２の周波数シフトを実施するように適合され、前記第１のフィルタリング手段（ＢＰＦ−１）が、前記第１の周波数範囲用の第１のバンドパス・フィルタであり、また前記少なくとも第２のフィルタリング手段（ＢＰＦ−２、ＢＰＦ−Ｍ）が、前記少なくとも第２の周波数範囲用の少なくとも第２のバンドパス・フィルタである、請求項３に記載の送信機装置（ＴＡ、ＴＡ２−１）。
【請求項５】
前記第１の周波数ブロック（ＦＢ−１、ＦＢ−１ｂ）をフィルタリングする前記第１のフィルタリング手段（ＬＰＦ−１）が第１のローパス・フィルタであり、前記少なくとも第２の周波数ブロック（ＦＢ−２、ＦＢ−Ｍ、ＦＢ−２ｂ、ＦＢ−Ｍｂ）をフィルタリングする前記少なくとも第２のフィルタリング手段（ＬＰＦ−２、．．．、ＬＰＦ−Ｍ）が少なくとも第２のローパス・フィルタである、請求項３に記載の送信機装置（ＴＡ、ＴＡ２−２）。
【請求項６】
前記フーリエ変換を実施する前記手段（ＩＦＦＴ−１、．．．、ＩＦＦＴ−Ｍ）のうちの第１の手段（ＩＦＦＴ−１）が、前記第１の周波数ブロック（ＦＢ−１、ＦＢ−１ｂ）の第１の逆高速フーリエ変換を実施するように適合され、前記フーリエ変換を実施する前記手段（ＩＦＦＴ−１、．．．、ＩＦＦＴ−Ｍ）のうちの少なくとも第２の手段（ＩＦＦＴ−２、．．．、ＩＦＦＴ−Ｍ）が、前記少なくとも第２の周波数ブロック（ＦＢ−２、．．．、ＦＢ−Ｍ、ＦＢ−２ｂ、ＦＢ−Ｍｂ）の少なくとも第２の逆高速フーリエ変換を実施するように適合され、前記第１のフィルタリング手段（ＬＰＦ−１）および前記少なくとも第２のフィルタリング手段（ＬＰＦ−２、．．．、ＬＰＦ−Ｍ）がローパス・フィルタである、請求項１乃至５のいずれか１項に記載の送信機装置（ＴＡ、ＴＡ３）。
【請求項７】
前記第１のフィルタリング手段（ＬＰＦ−１、ＢＰＦ−１）および前記少なくとも第２のフィルタリング手段（ＬＰＦ−２、．．．、ＬＰＦ−Ｍ、ＢＰＦ−２、．．．、ＢＰＦ−Ｍ）が、以下の
−  少なくとも１つのガード・バンド（ＢＡ−１、．．．、ＭＡ−Ｍ＋１、ＢＡ−１ｂ、．．．、ＢＡ−Ｇ＋１）によって分離されている、断片化スペクトル（ＦＳ１）のうちの少なくとも２つのサブバンド（ＳＢ−１、．．．、ＳＢ−Ｍ）をフィルタリングすること、
−  少なくとも１つのサブバンド（ＳＢ−１ｂ、．．．、ＳＢ−Ｇ）のうちの少なくとも２つのサブユニット（ＦＢ−１ｂ、．．．、ＦＢ−Ｍｂ）をフィルタリングすること、
のいずれかに応じて適合される、請求項１乃至６のいずれか１項に記載の送信機装置（ＴＡ、ＴＡ１、ＴＡ２−１、ＴＡ２−２、ＴＡ３、ＴＡ４）。
【請求項８】
前記送信機装置（ＴＡ、ＴＡ１、ＴＡ２−１、ＴＡ２−２、ＴＡ３、ＴＡ４）がさらに、前記少なくとも２つのサブバンド（ＳＢ−１、．．．、ＳＢ−Ｍ）のフィルタリングと、前記少なくとも１つのサブバンド（ＳＢ−１ｂ、．．．、ＳＢ−Ｇ）の前記少なくとも２つのサブユニット（ＦＢ−１ｂ、．．．、ＦＢ−Ｍｂ）のフィルタリングとの間で切り換える手段（ＲＣＦ−ＰＵ）を備える、請求項７に記載の送信機装置（ＴＡ、ＴＡ１、ＴＡ２−１、ＴＡ２−２、ＴＡ３、ＴＡ４）。
【請求項９】
前記送信機装置（ＴＡ、ＴＡ１、ＴＡ２−１、ＴＡ２−２、ＴＡ３、ＴＡ４）がさらに、以下の
−  前記フィルタリング済みの第１の周波数ブロック（ＦＢ−１、ＦＢ−１ｂ）および前記少なくとも第２の周波数ブロック（ＦＢ−２、．．．、ＦＢ−Ｍ、ＦＢ−２ｂ、ＦＢ−Ｍｂ）を処理し、前記マルチキャリア信号（ＲＦＳ）を生成するための単一の無線周波数処理ユニット（ＢＥ−ＰＵ１）と、
−  前記フィルタリング済みの第１の周波数ブロック（ＦＢ−１、ＦＢ−１ｂ）および少なくとも第２の周波数ブロック（ＦＢ−２、．．．、ＦＢ−Ｍ、ＦＢ−２ｂ、ＦＢ−Ｍｂ）のうちの少なくとも１つを処理するための第１の無線周波数処理サブユニット（ＢＥＰＣ１）、ならびに前記フィルタリング済みの第１の周波数ブロック（ＦＢ−１、ＦＢ−１ｂ）および少なくとも第２の周波数ブロック（ＦＢ−２、．．．、ＦＢ−Ｍ、ＦＢ−２ｂ、ＦＢ−Ｍｂ）のうちの別の少なくとも１つを処理するための少なくとも１つの第２の無線周波数処理サブユニット（ＢＥＰＣ２）と
のうちのいずれかを備える、請求項１乃至８のいずれか１項に記載の送信機装置（ＴＡ、ＴＡ１、ＴＡ２−１、ＴＡ２−２、ＴＡ３、ＴＡ４）。
【請求項１０】
前記送信機装置（ＴＡ、ＴＡ４）がさらに、以下の送信機タイプ、すなわち
−  請求項２に記載の第１の送信機タイプ、
−  請求項３、請求項４、または請求項５に記載の第２の送信機タイプ、
−  請求項６に記載の第３の送信機タイプ
のうちの少なくとも２つの間で前記送信機装置（ＴＡ、ＴＡ４）を再構成する手段（ＲＣＦ−ＰＵ）を備える、請求項１乃至９のいずれか１項に記載の送信機装置（ＴＡ、ＴＡ４）。
【請求項１１】
再構成するための前記手段（ＲＣＦ−ＰＵ）が、前記第１の周波数ブロック（ＦＢ−１、ＦＢ−１ｂ）と前記少なくとも第２の周波数ブロック（ＦＢ−２、．．．、ＦＢ−Ｍ、ＦＢ−２ｂ、ＦＢ−Ｍｂ）との総数が所定の数以下である場合に、前記送信機（ＴＡ、ＴＡ４）を前記第１の送信機タイプに再構成するように適合され、かつ／または再構成するための前記手段（ＲＣＦ−ＰＵ）が、前記第１の周波数ブロック（ＦＢ−１、ＦＢ−１ｂ）と前記少なくとも第２の周波数ブロック（ＦＢ−２、．．．、ＦＢ−Ｍ、ＦＢ−２ｂ、ＦＢ−Ｍｂ）との前記総数が前記所定の数を超える場合に、また前記第１の周波数ブロック（ＦＢ−１、ＦＢ−１ｂ）と前記少なくとも第２の周波数ブロック（ＦＢ−２、．．．、ＦＢ−Ｍ、ＦＢ−２ｂ、ＦＢ−Ｍｂ）との決定された帯域幅が所定の帯域幅以下である場合に、前記送信機（ＴＡ、ＴＡ４）を前記第２の送信機タイプに再構成するように適合され、かつ／または再構成するための前記手段（ＲＣＦ−ＰＵ）が、前記第１の周波数ブロック（ＦＢ−１、ＦＢ−１ｂ）と前記少なくとも第２の周波数ブロック（ＦＢ−２、．．．、ＦＢ−Ｍ、ＦＢ−２ｂ、ＦＢ−Ｍｂ）との前記総数が前記所定の数を超える場合に、また前記第１の周波数ブロック（ＦＢ−１、ＦＢ−１ｂ）と前記少なくとも第２の周波数ブロック（ＦＢ−２、．．．、ＦＢ−Ｍ、ＦＢ−２ｂ、ＦＢ−Ｍｂ）との前記決定された帯域幅が前記所定の帯域幅を超える場合に、前記送信機装置（ＴＡ、ＴＡ４）を前記第３の送信機タイプに再構成するように適合され、かつ／または再構成するための前記手段（ＲＣＦ−ＰＵ）が、所定の無線アクセス技術用の、または所定の無線通信システム用の前記第１の周波数ブロック（ＦＢ−１、ＦＢ−１ｂ）および／または前記少なくとも第２の周波数ブロック（ＦＢ−２、．．．、ＦＢ−Ｍ、ＦＢ−２ｂ、ＦＢ−Ｍｂ）の有用性が周期的に変化する場合に、前記送信機装置（ＴＡ、ＴＡ４）を前記第３の送信機タイプに再構成するように適合される、請求項１０に記載の送信機装置（ＴＡ、ＴＡ４）。
【請求項１２】
請求項１乃至１１のいずれか１項に記載の送信機装置（ＴＡ）を備えるネットワーク・ノード（ＮＮ）。
【請求項１３】
マルチキャリア信号（ＲＦＳ）を条件付ける方法（ＭＥＴ）であって、
−  前記マルチキャリア信号（ＲＦＳ）のサブキャリアを、前記サブキャリアの第１のグループを含む第１の周波数ブロック（ＦＢ−１、ＦＢ−１ｂ）と、前記サブキャリアの少なくとも第２のグループを含む少なくとも第２の周波数ブロック（ＦＢ−２、．．．、ＦＢ−Ｍ、ＦＢ−２ｂ、ＦＢ−Ｍｂ）とにグループ化するステップ（Ｓ２）と、
−  前記第１の周波数ブロック（ＦＢ−１、ＦＢ−１ｂ）および前記少なくとも第２の周波数ブロック（ＦＢ−２、．．．、ＦＢ−Ｍ、ＦＢ−２ｂ、ＦＢ−Ｍｂ）のフーリエ変換を実施して、時間領域信号の第１の部分（ＴＤＳ−１、ＴＤＳ−２１、ＴＤＳ−２１ａ、ＴＤＳ−ｌａ）および少なくとも第２の部分（ＴＤＳ−２、．．．、ＴＤＳ−Ｍ、ＴＤＳ−２２、．．．、ＴＤＳ−２Ｍ、ＴＤＳ−２２ａ、．．．、ＴＤＳ−２Ｍａ、ＴＤＳ−２ａ、．．．、ＴＤＳ−Ｍａ）を生成するステップ（Ｓ３）と、
−  前記第１の部分（ＴＤＳ−１、ＴＤＳ−２１、ＴＤＳ−２１ａ、ＴＤＳ−ｌａ）をフィルタリングするために、および前記第１の周波数ブロック（ＦＢ−１、ＦＢ−１ｂ）の外側で側波帯抑制をするために、前記第１の周波数ブロック（ＦＢ−１、ＦＢ−１ｂ）をフィルタリングするステップ（Ｓ４−１）であって、ユニバーサル・フィルタ式マルチキャリア信号を生成するステップを含むステップと、
−  前記少なくとも第２の部分（ＴＤＳ−２、．．．、ＴＤＳ−Ｍ、ＴＤＳ−２２、．．．、ＴＤＳ−２Ｍ、ＴＤＳ−２２ａ、．．．、ＴＤＳ−２Ｍａ、ＴＤＳ−２ａ、．．．、ＴＤＳ−Ｍａ）をフィルタリングするために、および前記少なくとも第２の周波数ブロック（ＦＢ−２、．．．、ＦＢ−Ｍ、ＦＢ−２ｂ、ＦＢ−Ｍｂ）の外側で同時および別個の側波帯抑制をするために、前記少なくとも第２の周波数ブロック（ＦＢ−２、．．．、ＦＢ−Ｍ、ＦＢ−２ｂ、ＦＢ−Ｍｂ）をフィルタリングするステップ（Ｓ４−２、．．．、Ｓ４−Ｍ）であって、ユニバーサル・フィルタ式マルチキャリア信号を生成するステップを含むステップと、
総合時間領域信号を生成するために、前記時間領域信号の前記第１の部分および前記時間領域信号の前記少なくとも第２の部分を重ね合わせ、または付加するステップと、
前記総合時間領域信号をアナログ時間領域信号に変換するステップと、
最終中心周波数位置にシフトされている無線周波数信号を生成するために前記アナログ時間領域信号をアップコンバートするステップと、
増幅済み無線周波数信号を生成するために前記無線周波数信号を増幅するステップと、
アンテナ・システムに加えられる無線周波数信号を生成するために前記増幅済み無線周波数信号をフィルタリングするステップと
を含むバックエンド処理を実行するステップ
を含む、方法（ＭＥＴ）。
【請求項１４】
コンピュータ・プログラムがコンピュータまたはプロセッサ上で実行される場合には、請求項１３に記載の方法（ＭＥＴ）を実施するためのプログラム・コードを有するコンピュータ・プログラム。
【発明の詳細な説明】
【技術分野】
【０００１】
本発明は、通信システムにおけるマルチキャリア信号の条件付けに関し、より詳細には、それだけには限らないが、無線通信システムにおける断片化スペクトルのためのマルチキャリア信号の条件付けに関する。
【背景技術】
【０００２】
この項では、本発明をよりよく理解しやすくする助けになり得る諸態様を提示する。したがって、この項で述べることは、この観点から読まれるべきであり、従来技術に関するものについて認めることと理解されるべきではない。
【０００３】
たとえば３ＧＰＰ  ＬＴＥ（３ＧＰＰ＝第３世代パートナーシップ・プロジェクト（３ｒｄ  Ｇｅｎｅｒａｔｉｏｎ  Ｐａｒｔｎｅｒｓｈｉｐ  Ｐｒｏｊｅｃｔ）、ＬＴＥ＝ロング・ターム・エボリューション（Ｌｏｎｇ  Ｔｅｒｍ  Ｅｖｏｌｕｔｉｏｎ））では、無線通信システムにおけるデータ転送速度を向上させるために、いわゆる断片化帯域をキャリア集約によって使用することが提案されている。それによって、その無線通信システムは、別の無線通信システムの周波数帯域または周波数帯域の一部を、その別の無線通信システムの１つの基地局またはいくつかの基地局が最大能力で稼働していないときに、使用することが可能になり得る。このような場合、別の無線通信でなお使用されている周波数帯域内では、その無線通信システムから無線周波数信号が発射されることが確実に防止されなければならない。
【０００４】
今後現れる低コストの無線送信機による機械対機械の通信では、タイミングおよび周波数安定性に関する同期要件が、セルラー無線通信システムで現在利用されている無線送信機ほど厳しくならない可能性がある。また、いわゆるＣｏＭＰ伝送（ＣｏＭＰ＝多地点協調（ｃｏｏｒｄｉｎａｔｅｄ  ｍｕｌｔｉｐｏｉｎｔ））では、無線周波数信号がたとえば２つ以上の基地局から異なる伝搬経路を経由して移動局まで伝搬する場合に、タイミング・オフセットおよび周波数オフセットを呈する。このタイミング・オフセットは、キャリア間干渉を引き起こし得る。従来のＯＦＤＭサブキャリアを使用することによって、タイミング・オフセットがいわゆるサイクリック・プレフィックス（ｃｙｃｌｉｃ  ｐｒｅｆｉｘ）を超えた場合に、伝送品質が急速に悪化する。
【０００５】
ＯＦＤＭマルチキャリア信号（ＯＦＤＭ＝直交周波数分割多重）などの古典的なマルチキャリア信号は、長方形の形状を有する時間領域信号に基づく。時間領域における長方形の形状は、周波数範囲でのいわゆるシンク関数の形状と対応付けられる。それによって、マルチキャリア信号のサブキャリアは、かなり高いサイドローブ・レベルを有する。上記の用途にＯＦＤＭマルチキャリア信号を断片化スペクトルの形で使用する場合には、断片化スペクトルの断片化サブバンドを分離するガード・バンドは十分に大きくなければならない。
【先行技術文献】
【非特許文献】
【０００６】
【非特許文献１】Ｌｉ  Ｐｉｎｇ他、「Ａ  Ｓｉｍｐｌｅ  Ａｐｐｒｏａｃｈ  ｔｏ  Ｎｅａｒ−Ｏｐｔｉｍａｌ  Ｍｕｌｔｉｕｓｅｒ  Ｄｅｔｅｃｔｉｏｎ：  Ｉｎｔｅｒｌｅａｖｅ−Ｄｉｖｉｓｉｏｎ  Ｍｕｌｔｉｐｌｅ−Ａｃｃｅｓｓ」、ＩＥＥＥ  ＷＣＮＣ  ２００３、２００３年３月、３９１〜３９６頁
【発明の概要】
【発明が解決しようとする課題】
【０００７】
古典的なマルチキャリア信号は、今後現れる無線周波数用途のすべての要件を実現するとは限らない。したがって、本発明の実施形態の目的は、現行の、および今後現れる無線周波数利用のための先進のマルチキャリア信号を生成することである。
【課題を解決するための手段】
【０００８】
この目的は、マルチキャリア信号を条件付ける送信機装置によって達成される。送信機装置は、マルチキャリア信号のサブキャリアを、前記サブキャリアの第１のグループを含む第１の周波数ブロックと、前記サブキャリアの少なくとも第２のグループを含む少なくとも第２の周波数ブロックとにグループ化する手段を含む。送信機装置はさらに、第１の周波数ブロックの外側で側波帯抑制をする第１のフィルタリング手段と、少なくとも第２の周波数ブロックの外側で同時および別個の側波帯抑制をする少なくとも第２のフィルタリング手段とを含む。
【０００９】
諸実施形態では、マルチキャリア信号のサブキャリアをグループ化する手段は、任意のグループ化ユニット、分割化ユニット、分断化ユニット、断片化ユニット、区分化ユニットなどに相当し得る。したがって、諸実施形態では、マルチキャリア信号のサブキャリアをグループ化する手段は、マルチキャリア信号の入力部と、第１の周波数ブロックおよび少なくとも第２の周波数ブロックのサブキャリアをグループ化するアルゴリズムと、第１の周波数ブロックおよび少なくとも第２の周波数ブロックの出力部とを含み得る。いくつかの実施形態では、マルチキャリア信号のサブキャリアをグループ化する手段は、コンピュータ・プログラムと、ＤＳＰ（ＤＳＰ＝デジタル信号プロセッサ）、ＡＳＩＣ（ＡＳＩＣ＝特定用途向け集積回路）、ＦＰＧＡ（ＦＰＧＡ＝フィールド・プログラマブル・ゲート・アレイ）、または他の任意のプロセッサなどの、コンピュータ・プログラムを実行するためのハードウェア構成要素とに関して実施することができる。
【００１０】
諸実施形態では、第１のフィルタリング手段は、任意のフィルタリング・ユニット、フィルタ・ユニット、無線周波数フィルタなどに相当し得る。したがって、諸実施形態では、第１のフィルタリング手段は、第１の周波数ブロックを含む信号の入力部と、第１の周波数ブロックの周波数位置に適合化されているフィルタ特性によって信号をフィルタリングするアルゴリズムと、フィルタリング済み信号の出力部とを含み得る。いくつかの実施形態では、第１のフィルタリング手段は、コンピュータ・プログラムと、ＤＳＰ、ＡＳＩＣ、ＦＰＧＡ、または他の任意のプロセッサなどの、コンピュータ・プログラムを実行するためのハードウェア構成要素とに関して実施することができる。
【００１１】
諸実施形態では、少なくとも第２のフィルタリング手段は、任意の別のフィルタリング・ユニット、フィルタ・ユニット、無線周波数フィルタなどに相当し得る。したがって、諸実施形態では、少なくとも第２のフィルタリング手段は、少なくとも第２の周波数ブロックを含む別の信号の入力部と、少なくとも第２の周波数ブロックの周波数位置に適合化されている別のフィルタ特性によって別の信号をフィルタリングするアルゴリズムと、別のフィルタリング済み信号の出力部とを含み得る。いくつかの実施形態では、少なくとも第２のフィルタリング手段は、コンピュータ・プログラムと、ＤＳＰ、ＡＳＩＣ、ＦＰＧＡ、または他の任意のプロセッサなどの、コンピュータ・プログラムを実行するためのハードウェア構成要素とに関して実施することができる。
【００１２】
目的はさらに、マルチキャリア信号を条件付ける方法によって達成される。この方法は、マルチキャリア信号のサブキャリアを、このサブキャリアの第１のグループを含む第１の周波数ブロックと、サブキャリアの少なくとも第２のグループを含む少なくとも第２の周波数ブロックとにグループ化するステップを含む。この方法はさらに、第１の周波数ブロックの外側で側波帯抑制をするために第１の周波数ブロックをフィルタリングするステップと、少なくとも第２の周波数ブロックの外側で同時および別個の側波帯抑制をするために少なくとも第２の周波数ブロックをフィルタリングするステップとを含む。
【００１３】
目的はさらに、コンピュータ・プログラムがコンピュータまたはプロセッサ上で実行される場合には、この方法を実施するためのプログラム・コードを有するコンピュータ・プログラムによって達成される。
【００１４】
これら送信機装置、方法およびコンピュータ・プログラムにより、古典的なＯＦＤＭマルチキャリア信号と比較してサイドローブ・レベルの低減が見られる先進の信号構造が可能になる。ユーザがタイムシフトＯＦＤＭ信号を用いて、対象のユーザのサブバンドの隣接サブバンドであるサブバンドの中で操作する場合、先行または後続のＯＦＤＭシンボルが、対象のユーザの対象のＯＦＤＭシンボルと重なり合い、全周波数帯域を伝って伝搬し得るＩＣＩ（ＩＣＩ＝チャネル間干渉（Ｉｎｔｅｒ  Ｃｈａｎｎｅｌ  Ｉｎｔｅｒｆｅｒｅｎｃｅ））を発生する可能性がある。時間領域では、先進の信号構造による無線周波数信号が円滑に始動し、したがって、時間オフセットの場合に、同じだけのＩＣＩを発生させず、ＩＣＩはさらに、フィルタリング手段によって抑制される。
【００１５】
シミュレーション結果では、５Ｇ要件の緩和共時性により生じる非対称隣接チャネル干渉の存在下である一定のシンボル誤り率を達成するために、ＯＦＤＭと比較して数デシベルの性能改善を達成できることが、送信シンボルと、線形受信機で等化された受信シンボルとの間の所与のタイミング・オフセットでＭＳＥパラメータ（ＭＳＥ＝平均二乗誤差）を測定すると示される（たとえば、ゼロフォーシング）。これにより、発振器に対する緩和された要件が可能になり、また断片化帯域内の利用、ならびに、ダウンリンク同期信号に基づく、多くのマシンタイプ・デバイスからの散発的トラフィックに適した、粗い（オープンループ）同期だけによる回線争奪をベースとする多重アクセス・システムなどの非同期システムでの利用が可能になる。周波数ブロックの同時および別個のフィルタリングにより、フィルタ長を短くすること（サブキャリアごとのフィルタリングと比較して）、したがって、たとえばＭＴＣ（ＭＴＣ＝マシンタイプ通信）で必要になる、短送信バーストの送信にいっそう適した送信機装置を作ることが可能になる。想定フィルタ長は、たとえば３ＧＰＰ  ＴＳ３６．２１１でＬＴＥシステムについて規定されているようなＯＦＤＭ巡回プレフィックスの程度である。サブキャリアの全周波数ブロックのフィルタリングにより、サブキャリアごとのフィルタリングと比較して広い通過帯域範囲が可能になる。
【００１６】
好ましい実施形態では、送信機装置はさらに、時間領域信号の第１の部分、および少なくとも第２の部分を生成するために、第１の周波数ブロックおよび少なくとも第２の周波数ブロックのフーリエ変換を実施する手段を含む。このような場合、第１のフィルタリング手段は、第１の部分をフィルタリングするように適合させることができ、少なくとも第２のフィルタリング手段は、少なくとも第２の部分をフィルタリングするように適合させることができる。
【００１７】
諸実施形態では、フーリエ変換を実施する手段は、任意の実施ユニット、実行ユニット、処理ユニットなどに相当し得る。したがって、実施形態では、フーリエ変換を実施する手段は、第１の周波数ブロックおよび少なくとも第２の周波数ブロックの入力部と、フーリエ変換を実施するアルゴリズムと、時間領域信号の第１の部分および少なくとも第２の部分の出力部とを含み得る。いくつかの実施形態では、フーリエ変換を実施することは、コンピュータ・プログラムと、ＤＳＰ、ＡＳＩＣ、ＦＰＧＡ、または他の任意のプロセッサなどの、コンピュータ・プログラムを実行するためのハードウェア構成要素とに関して実施することができる。
【００１８】
第１の実施形態によれば、フーリエ変換を実施する手段は、単一の逆高速フーリエ変換を実施するように適合され、また第１のフィルタリング手段および少なくとも第２のフィルタリング手段は、好ましくはデジタル領域のローパス・フィルタとすることができる。そうすることで、第１のフィルタリング手段は、第１の周波数ブロックをゼロ周波数あたりの周波数位置にシフトする手段を含むことができる。同様に、少なくとも第２のフィルタリング手段は、少なくとも第２の周波数ブロックをゼロ周波数あたりの周波数位置にシフトする手段を含むことができる。第１の実施形態の送信機装置は、フィルタリング済みの第１の周波数ブロックをアップサンプリングする手段と、アップサンプリング済みおよびフィルタリング済みの第１の周波数ブロックをマルチキャリア信号の第１の周波数範囲に向けてシフトする手段と、フィルタリング済みの少なくとも第２の周波数ブロックをアップサンプリングする手段と、アップサンプリング済みおよびフィルタリング済みの少なくとも第２の周波数ブロックを、マルチキャリア信号の少なくとも１つの第２の周波数範囲に向けてシフトする手段とをさらに含むことができる。
【００１９】
諸実施形態では、フィルタリング済みの第１の周波数ブロックをアップサンプリングする手段は、任意のアップサンプリング・ユニット、アップサンプラなどに相当し得る。したがって、実施形態では、フィルタリング済みの第１の周波数ブロックをアップサンプリングする手段は、フィルタリング済みの第１の周波数ブロックの入力部と、アップサンプリングを実行するアルゴリズムと、アップサンプリング済みおよびフィルタリング済みの第１の周波数ブロックの出力部とを含み得る。アップサンプリングは、補間フィルタの使用、および追加ゼロ値サンプルの挿入を含むことができる。サンプリング・レートの変化に対する有理数の場合には、追加のダウンサンプリングを含むことができる。いくつかの実施形態では、フィルタリング済みの第１の周波数ブロックをアップサンプリングする手段は、コンピュータ・プログラムと、ＤＳＰ、ＡＳＩＣ、ＦＰＧＡ、または他の任意のプロセッサなどの、コンピュータ・プログラムを実行するためのハードウェア構成要素とに関して実施することができる。
【００２０】
諸実施形態では、アップサンプリング済みおよびフィルタリング済みの第１の周波数ブロックをシフトする手段は、任意の周波数シフト・ユニット、周波数混合ユニット、周波数ミキサなどに相当し得る。したがって、実施形態では、アップサンプリング済みおよびフィルタリング済みの第１の周波数ブロックをシフトする手段は、アップサンプリング済みおよびフィルタリング済みの第１の周波数ブロックの入力部と、第１の周波数範囲へ周波数シフトを実施するアルゴリズムまたは機構と、周波数シフト済み、アップサンプリング済みおよびフィルタリング済みの第１の周波数ブロックの出力部とを含み得る。いくつかの実施形態では、アップサンプリング済みおよびフィルタリング済みの第１の周波数ブロックをシフトする手段は、コンピュータ・プログラムと、ＤＳＰ、ＡＳＩＣ、ＦＰＧＡ、または他の任意のプロセッサなどの、コンピュータ・プログラムを実行するためのハードウェア構成要素とに関して実施することができる。
【００２１】
諸実施形態では、フィルタリング済みの少なくとも第２の周波数ブロックをアップサンプリングする手段は、任意の別のアップサンプリング・ユニット、アップサンプラなどに相当し得る。したがって、実施形態では、フィルタリング済みの少なくとも第２の周波数ブロックをアップサンプリングする手段は、フィルタリング済みの少なくとも第２の周波数ブロックの入力部と、アップサンプリングを実行するアルゴリズムと、アップサンプリング済みおよびフィルタリング済みの少なくとも第２の周波数ブロックの出力部とを含み得る。いくつかの実施形態では、フィルタリング済みの少なくとも第２の周波数ブロックをアップサンプリングする手段は、コンピュータ・プログラムと、ＤＳＰ、ＡＳＩＣ、ＦＰＧＡ、または他の任意のプロセッサなどの、コンピュータ・プログラムを実行するためのハードウェア構成要素とに関して実施することができる。
【００２２】
諸実施形態では、アップサンプリング済みおよびフィルタリング済みの少なくとも第２の周波数ブロックをシフトする手段は、任意の別の周波数シフト・ユニット、周波数混合ユニット、周波数ミキサなどに相当し得る。したがって、実施形態では、アップサンプリング済みおよびフィルタリング済みの少なくとも第２の周波数ブロックをシフトする手段は、アップサンプリング済みおよびフィルタリング済みの少なくとも第２の周波数ブロックの入力部と、少なくとも第２の周波数範囲へ周波数シフトを実施するアルゴリズムまたは機構と、周波数シフト済み、アップサンプリング済みおよびフィルタリング済みの少なくとも第２の周波数ブロックの出力部とを含み得る。いくつかの実施形態では、アップサンプリング済みおよびフィルタリング済みの少なくとも第２の周波数ブロックをシフトする手段は、コンピュータ・プログラムと、ＤＳＰ、ＡＳＩＣ、ＦＰＧＡ、または他の任意のプロセッサなどの、コンピュータ・プログラムを実行するためのハードウェア構成要素とに関して実施することができる。
【００２３】
第１の実施形態では、単一の逆高速フーリエ変換しか必要としないという利点が得られる。これにより、アップサンプリングのそれぞれの手段の入力に合致した低減サンプリング・レートでの信号処理を可能にするという別の利点も得られる。さらに別の利点により、周波数ブロックは、同じタイプのローパス・フィルタによってフィルタリングすることができる。さらに、第１の実施形態では、それぞれの周波数ブロックの周波数位置決めに関して妥当な適応性が得られる。
【００２４】
第２の実施形態によれば、フーリエ変換を実施する手段のうちの第１の手段は、第１の逆離散フーリエ変換と、第１の周波数ブロックの時間領域信号の第１のアップコンバート済み部分を生成するための第１のアップコンバージョンとを実施するように適合され、フーリエ変換を実施する手段のうちの少なくとも第２の手段は、少なくとも第２の周波数ブロックの少なくとも第２の逆離散フーリエ変換を実施するように適合される。
【００２５】
第２の実施形態では、ＩＤＦＴ拡散操作を実行する単一の処理ユニットで補間およびアップコンバージョンを行うことができるので、必要な構成ブロックが第１の実施形態よりも少ない。したがって、アップサンプリングを含むＩＤＦＴは、ＣＤＭＡ（ＣＤＭＡ＝符号分割多重アクセス）の観点から拡散操作と見ることができる。さらに、周波数ブロックのうちの１つを再構成することで他の周波数ブロックを乱すことがない。加えて、構成ブロックは、高度に並列化された処理構造を可能にする。第１の実施形態では、それぞれの周波数ブロックの周波数位置決めに関してもまた妥当な適応性が得られる。高度並列化構造により、たとえば、サブキャリア間隔の整数倍ではない周波数位置にブロックを微細な粒状にシフトすることが可能になる。加えて、適応性の向上には、周波数ブロックごとに異なる数のサブキャリアを使用すること、または特定のサブキャリア位置を計算的に効率よく使用しないことも含まれる。さらに、不均一なサブキャリア間隔も可能である。
【００２６】
第２の実施形態の第１の代替形態では、フーリエ変換を実施する手段のうちの第１の手段はさらに、第１の周波数ブロックの第１の周波数範囲に向けた第１の周波数シフトを実施するように適合させることができ、フーリエ変換を実施する少なくとも第２の手段はさらに、少なくとも第２の周波数ブロックの少なくとも第２の周波数範囲に向けた少なくとも第２の周波数シフトを実施するように適合させることができ、第１のフィルタリング手段は、第１の周波数ブロック用の第１のバンドパス・フィルタとすることができ、少なくとも第２のフィルタリング手段は、少なくとも第２の周波数ブロック用の少なくとも第２のバンドパス・フィルタとすることができる。
【００２７】
第２の実施形態の第２の代替形態では、第１のフィルタリング手段は、第１のローパス・フィルタとすることができ、少なくとも第２のフィルタリング手段は、少なくとも第２のローパス・フィルタとすることができる。加えて、送信機装置はさらに、フィルタリング済みの第１の周波数ブロックを第１の周波数範囲に向けてシフトする手段と、フィルタリング済みの少なくとも第２の周波数ブロックを少なくとも第２の周波数範囲に向けてシフトする手段とを含むこともできる。
【００２８】
諸実施形態では、フィルタリング済みの第１の周波数ブロックをシフトする手段は、任意の周波数シフト・ユニット、周波数混合ユニット、周波数ミキサなどに相当し得る。したがって、実施形態では、フィルタリング済みの第１の周波数ブロックをシフトする手段は、フィルタリング済みの第１の周波数ブロックの入力部と、第１の周波数範囲へ周波数シフトを実施するアルゴリズムまたは機構と、周波数シフト済み、フィルタリング済みの第１の周波数ブロックの出力部とを含み得る。いくつかの実施形態では、フィルタリング済みの第１の周波数ブロックをシフトする手段は、コンピュータ・プログラムと、ＤＳＰ、ＡＳＩＣ、ＦＰＧＡ、または他の任意のプロセッサなどの、コンピュータ・プログラムを実行するためのハードウェア構成要素とに関して実施することができる。
【００２９】
諸実施形態では、フィルタリング済みの少なくとも第２の周波数ブロックをシフトする手段は、任意の別の周波数シフト・ユニット、周波数混合ユニット、周波数ミキサなどに相当し得る。したがって、実施形態では、フィルタリング済みの少なくとも第２の周波数ブロックをシフトする手段は、フィルタリング済みの少なくとも第２の周波数ブロックの入力部と、少なくとも第２の周波数範囲へ周波数シフトを実施するアルゴリズムまたは機構と、周波数シフト済み、フィルタリング済みの少なくとも第２の周波数ブロックの出力部とを含み得る。いくつかの実施形態では、フィルタリング済みの少なくとも第２の周波数ブロックをシフトする手段は、コンピュータ・プログラムと、ＤＳＰ、ＡＳＩＣ、ＦＰＧＡ、または他の任意のプロセッサなどの、コンピュータ・プログラムを実行するためのハードウェア構成要素とに関して実施することができる。
【００３０】
第３の実施形態によれば、フーリエ変換を実施する手段のうちの第１の手段は、第１の周波数ブロックの第１の逆高速フーリエ変換を実施するように適合され、フーリエ変換を実施する手段のうちの少なくとも第２の手段は、少なくとも第２の周波数ブロックの少なくとも第２の逆高速フーリエ変換を実施するように適合され、第１のフィルタリング手段および少なくとも第２のフィルタリング手段は、ローパス・フィルタとすることができる。第３の実施形態では、第１の実施形態の送信機装置は、時間領域信号の第１の部分のフィルタリング済みの第１の周波数ブロックをアップサンプリングする手段と、アップサンプリング済みおよびフィルタリング済みの第１の周波数ブロックをマルチキャリア信号の第１の周波数範囲に向けてシフトする手段と、時間領域信号の少なくとも第２の部分のフィルタリング済みの少なくとも第２の周波数ブロックをアップサンプリングする手段と、アップサンプリング済みおよびフィルタリング済みの少なくとも第２の周波数ブロックを、マルチキャリア信号の少なくとも第２の周波数範囲に向けてシフトする手段とをさらに含むことができる。
【００３１】
諸実施形態では、時間領域信号の第１の部分のフィルタリング済みの第１の周波数ブロックをアップサンプリングする手段は、任意のアップサンプリング・ユニット、アップサンプラなどに相当し得る。したがって、実施形態では、フィルタリング済みの第１の周波数ブロックをアップサンプリングする手段は、フィルタリング済みの第１の周波数ブロックの入力部と、アップサンプリングを実行するアルゴリズムと、アップサンプリング済みおよびフィルタリング済みの第１の周波数ブロックの出力部とを含み得る。いくつかの実施形態では、フィルタリング済みの第１の周波数ブロックをアップサンプリングする手段は、コンピュータ・プログラムと、ＤＳＰ、ＡＳＩＣ、ＦＰＧＡ、または他の任意のプロセッサなどの、コンピュータ・プログラムを実行するためのハードウェア構成要素とに関して実施することができる。
【００３２】
諸実施形態では、アップサンプリング済みおよびフィルタリング済みの第１の周波数ブロックをシフトする手段は、任意の周波数シフト・ユニット、周波数混合ユニット、周波数ミキサなどに相当し得る。したがって、実施形態では、アップサンプリング済みおよびフィルタリング済みの第１の周波数ブロックをシフトする手段は、アップサンプリング済みおよびフィルタリング済みの第１の周波数ブロックの入力部と、第１の周波数範囲へ周波数シフトを実施するアルゴリズムまたは機構と、周波数シフト済み、アップサンプリング済みおよびフィルタリング済みの第１の周波数ブロックの出力部とを含み得る。いくつかの実施形態では、アップサンプリング済みおよびフィルタリング済みの第１の周波数ブロックをシフトする手段は、コンピュータ・プログラムと、ＤＳＰ、ＡＳＩＣ、ＦＰＧＡ、または他の任意のプロセッサなどの、コンピュータ・プログラムを実行するためのハードウェア構成要素とに関して実施することができる。
【００３３】
諸実施形態では、時間領域信号の少なくとも第２の部分のフィルタリング済みの少なくとも第２の周波数ブロックをアップサンプリングする手段は、任意の別のアップサンプリング・ユニット、アップサンプラなどに相当し得る。したがって、実施形態では、フィルタリング済みの少なくとも第２の周波数ブロックをアップサンプリングする手段は、フィルタリング済みの少なくとも第２の周波数ブロックの入力部と、アップサンプリングを実行するアルゴリズムと、アップサンプリング済みおよびフィルタリング済みの少なくとも第２の周波数ブロックの出力部とを含み得る。いくつかの実施形態では、フィルタリング済みの少なくとも第２の周波数ブロックをアップサンプリングする手段は、コンピュータ・プログラムと、ＤＳＰ、ＡＳＩＣ、ＦＰＧＡ、または他の任意のプロセッサなどの、コンピュータ・プログラムを実行するためのハードウェア構成要素とに関して実施することができる。
【００３４】
諸実施形態では、アップサンプリング済みおよびフィルタリング済みの少なくとも第２の周波数ブロックをシフトする手段は、任意の別の周波数シフト・ユニット、周波数混合ユニット、周波数ミキサなどに相当し得る。したがって、実施形態では、アップサンプリング済みおよびフィルタリング済みの少なくとも第２の周波数ブロックをシフトする手段は、アップサンプリング済みおよびフィルタリング済みの少なくとも第２の周波数ブロックの入力部と、少なくとも第２の周波数範囲へ周波数シフトを実施するアルゴリズムまたは機構と、周波数シフト済み、アップサンプリング済みおよびフィルタリング済みの少なくとも第２の周波数ブロックの出力部とを含み得る。いくつかの実施形態では、アップサンプリング済みおよびフィルタリング済みの少なくとも第２の周波数ブロックをシフトする手段は、コンピュータ・プログラムと、ＤＳＰ、ＡＳＩＣ、ＦＰＧＡ、または他の任意のプロセッサなどの、コンピュータ・プログラムを実行するためのハードウェア構成要素とに関して実施することができる。
【００３５】
第３の実施形態では、以下の利点が得られる。すなわち周波数ブロックごとに別々の信号処理回路チェーンを、アップサンプリング・ユニットの入力に合致した低いサンプリング・レートで動作させることができる。サイドローブ抑制用のフィルタは、ローパス・フィルタで容易に実現することができる。別々の信号処理回路チェーンにより、それぞれの周波数ブロックをマルチキャリア間隔、周波数位置、送信電力などのパラメータで条件付けるための高い適応性が可能になる。周波数ブロックのうちの１つを再構成することで他の周波数ブロックの信号処理および送信を乱すことはない。それぞれの信号処理回路チェーンの逆高速フーリエ変換の複雑さは、第１の実施形態よりもかなり少ない。高度並列化構造により、たとえば、サブキャリア間隔の整数倍ではない周波数位置にブロックを微細な粒状にシフトすることが可能になる。加えて、適応性の向上には、周波数ブロックごとに異なる数のサブキャリアを使用すること、または特定のサブキャリア位置を計算的に効率よく使用しないことも含まれる。さらに、不均一なサブキャリア間隔も可能である。
【００３６】
別の実施形態によれば、第１のフィルタリング手段および少なくとも第２のフィルタリング手段は、少なくとも１つのガード・バンドで分離されている断片化スペクトルの少なくとも２つのサブバンドをフィルタリングするように、または少なくとも１つのサブバンドの少なくとも２つのサブユニットをフィルタリングするように適合させることができる。これら少なくとも２つのサブユニットは、たとえば、ＬＴＥ  ＰＲＢ（ＰＲＢ＝物理的リソース・ブロック）などの少なくとも２つの物理的リソース・ブロックとすることができる。
【００３７】
好ましくは、送信機装置はさらに、少なくとも２つのサブバンドのフィルタリングと、少なくとも１つのサブバンドの少なくとも２つのサブユニットのフィルタリングとの間で切り換える手段を含むこともできる。この少なくとも２つのサブユニットのフィルタリングはまた、送信機装置が無線周波数信号を単一のサブバンド内だけで送信し、断片化スペクトルの２つ以上のサブバンドでは無線周波数信号を送信しない場合に行うこともできる。
【００３８】
さらに別の実施形態に関して、送信機装置はさらに、フィルタリング済みの第１の周波数ブロックおよびフィルタリング済みの少なくとも２つの周波数ブロックを処理し、マルチキャリア信号を生成するための単一の無線周波数処理ユニットを含むことができ、あるいはさらに、フィルタリング済みの第１の周波数ブロックおよびフィルタリング済みの少なくとも２つの周波数ブロックのうちの少なくとも１つを処理するための第１の無線周波数処理サブユニットと、フィルタリング済みの第１の周波数ブロックおよびフィルタリング済みの少なくとも２つの周波数ブロックのうちの別の少なくとも１つを処理するための少なくとも１つの第２の無線周波数処理サブユニットとを含むことができる。無線周波数処理ユニットまたはサブユニットのそれぞれは、たとえば以下のうちの少なくとも１つを含むことができる：Ｄ／Ａコンバータ、ミキサ、電力増幅器、空洞無線周波数フィルタなど。
【００３９】
別の好ましい実施形態では、送信機装置はさらに、以下の送信機タイプのうちの少なくとも２つの間で送信機装置を再構成する手段を含むことができる。
−  前述の第１の実施形態による第１の送信機タイプ、
−  第２の実施形態について前述の代替形態のうちの１つによる第２の送信機タイプ、
−  前述の第３の実施形態による第３の送信機タイプ。
【００４０】
好ましくは、再構成する手段は、ＦＦＴ（ＦＦＴ＝高速フーリエ変換）の入力ベクトルのサイズが所定のサイズ未満に収まる場合に、送信機装置を第１の送信機タイプに再構成するように適合され、かつ／または再構成する手段は、ＦＦＴの入力ベクトルのサイズが所定のサイズ以上である場合、ならびにサブバンドの総数が所定の数未満である場合に、送信機装置を第２の送信機タイプに再構成するように適合され、かつ／または再構成する手段は、この送信機タイプのＦＦＴの入力ベクトルのサイズが所定のサイズ以上である場合、ならびにサブバンドの総数が所定の数以上である場合に、送信機装置を第３の送信機タイプに再構成するように適合され、かつ／または再構成する手段は、第１の周波数ブロックの有用性、および／または所定の無線アクセス技術の少なくとも第２の周波数ブロックの有用性、または所定の無線通信システムの有用性が周期的に変化する場合に、送信機装置を第３の送信機タイプに再構成するように適合される。
【００４１】
本発明の実施形態のこれ以外の有利な特徴については、以下の詳細な説明で定義され記述される。
【００４２】
本発明の実施形態は、以下の詳細な記述で明らかになると共に、非限定的な実例で示される添付の図によって説明される。
【図面の簡単な説明】
【００４３】
【図１】第１の実施形態による、マルチキャリア信号を条件付ける送信機装置を概略的に示すブロック図である。
【図２】第１の実施形態による送信機装置のフロントエンド処理ユニットを概略的に示すブロック図である。
【図３】第１の実施形態による送信機装置のバックエンド処理ユニットの第１の代替形態を概略的に示すブロック図である。
【図４】第１の実施形態による送信機装置のバックエンド処理ユニットの第２の代替形態を概略的に示すブロック図である。
【図５】それぞれのガード・バンドによって、すなわちブロック化周波数帯域によって分離されているいくつかの周波数ブロックに対してマルチキャリアのサブキャリアのマッピングを用いた断片化スペクトルに関する２つの実施形態を概略的に示す図である。
【図６】第２の実施形態の第１の代替形態による、マルチキャリア信号を条件付ける送信機装置を概略的に示すブロック図である。
【図７】第２の実施形態の第２の代替形態による、マルチキャリア信号を条件付ける送信機装置を概略的に示すブロック図である。
【図８】第３の実施形態による、マルチキャリア信号を条件付ける送信機装置を概略的に示すブロック図である。
【図９】第１、第２、第３および第４の実施形態による、マルチキャリア信号を条件付ける方法を概略的に示すフロー図である。
【図１０】第４の実施形態による、マルチキャリア信号を条件付ける再構成可能送信機装置を概略的に示すブロック図である。
【図１１】第１、第２、第３および第４の実施形態による送信機装置を含むネットワーク・ノードを概略的に示すブロック図である。
【発明を実施するための形態】
【００４４】
本明細書および図は、本発明の原理を示すにすぎない。したがって、本明細書では明示的に説明または図示されていないが、本発明の原理を具体化する、またその趣旨および範囲に含まれる様々な構成が当業者には考案できることを理解されたい。さらに、本明細書に列挙されたすべての例は、本発明の原理と、当技術分野を促進するために本発明者らによってもたらされた概念とを理解することにおいて読者を助ける教育的目的のためだけであることが特に意図されており、特に列挙されたこのような例および条件に限定するものではないと解釈されるべきである。さらに、本発明の原理、態様および実施形態、ならびに特定の例を列挙する、本明細書で述べられることすべては、これらの同等物を包含するものである。
【００４５】
図１は、第１の実施形態による、マルチキャリア信号を条件付ける送信機装置ＴＡ１のブロック図を概略的に示す。図１に示された各処理ユニットにわたって処理機能を分割することは重要ではなく、また当業者には理解できるように、処理ユニットの数、処理機能の数、および各処理ユニットへの処理機能の割当ては、添付の特許請求の範囲で定義された本発明の実施形態の範囲から逸脱することなく異なり得る。
【００４６】
送信機装置ＴＡ１は、１つのデータ・シンボル層またはいくつかのデータ・シンボル層ＤＴ−１、ＤＴ−２、．．．、ＤＴ−Ｊの入力部と、データ・シンボル層ＤＴ−１、ＤＴ−２、．．．、ＤＴ−Ｊを前処理するためのいわゆるフロントエンド処理ユニットＦＥ−ＰＵと、周波数ブロックＦＢ−１、ＦＢ−２、．．．、ＦＢ−Ｍを変調およびさらに処理するための変調器ＭＣ−ＭＯＤ１（図１では点線で示す）と、時間領域信号ＴＤＳ−１ｅ、ＴＤＳ−２ｅ、．．．、ＴＤＳ−Ｍｅを後処理するためのいわゆるバックエンド処理ユニットＢＥ−ＰＵと、データ・シンボル層ＤＴ−１、ＤＴ−２、．．．、ＤＴ−Ｊを含む無線周波数信号ＲＦＳの出力部とを含む。以下の説明は、いくつかのデータ・シンボル層ＤＴ−１、ＤＴ−２、．．．、ＤＴ−Ｊを適用する場合について行う。当業者であれば、送信機装置ＴＡ１を単一のデータ・シンボル層に対処するように容易に適合させることができよう。
【００４７】
異なるデータ・シンボル層ＤＴ−１、ＤＴ−２、．．．、ＤＴ−Ｊは、たとえば、ＱＰＳＫ、１６−ＱＡＭなどのようなコンスタレーション・アルファベット（ｃｏｎｓｔｅｌｌａｔｉｏｎ  ａｌｐｈａｂｅｔ）にマッピングされている符号化ビット系列に相当し得る。データ・シンボル層ＤＴ−１、ＤＴ−２、．．．、ＤＴ−Ｊは、時間および周波数の次元に加えて別の複数のアクセス次元を与えることができ、これらはＣＤＭＡの意味では、拡散によりコードと解釈でき、ＩＤＭＡの意味では（ＩＤＭＡ＝インターリーブ分割多重アクセス（ｉｎｔｅｒｌｅａｖｅ  ｄｉｖｉｓｉｏｎ  ｍｕｌｔｉｐｌｅ  ａｃｃｅｓｓ））、チャネル・コード化層と解釈できる。あるいは、データ・シンボル層ＤＴ−１、ＤＴ−２、．．．、ＤＴ−Ｊは、断片化スペクトルの配置になるよう周波数であらかじめブロックのようにグループ化して（Ｌ個のグループに）、同じ周波数範囲で稼働している他の無線通信システムへの干渉を回避するための隙間を残すこともできる。
【００４８】
フロントエンド処理ユニットＦＥ−ＰＵは、より詳細に図２で示されている。図２に示された各処理ユニットにわたって処理機能を分割することは重要ではなく、また当業者には理解できるように、処理ユニットの数、処理機能の数、および各処理ユニットへの処理機能の割当ては、添付の特許請求の範囲で定義された本発明の実施形態の範囲から逸脱することなく異なり得る。
【００４９】
第１のデータ・シンボル層ＤＴ−１は、当業者に知られている技法の１つによる符号化、インターリビング、スクランブルおよびシンボルマッピングのために第１の処理ユニットＥＩＳＭ−ＰＵ−１に供給されて、符号化、インターリーブ、スクランブルおよびシンボルマッピングされた第１のデータ・シンボル層ＤＴ−１ａが生成され得る。
【００５０】
同様に、個数Ｊ−１の別のデータ・シンボル層ＤＴ−２、．．．、ＤＴ−Ｊが別の第１の処理ユニットＥＩＳＭ−ＰＵ−２、．．．、ＥＩＳＭ−ＰＵ−Ｊによって処理されて、符号化、インターリーブ、スクランブルおよびシンボルマッピングされた別の対応するデータ・シンボル層ＤＴ−２ａ、．．．、ＤＴ−Ｊａが生成され得る。データ・シンボル層ＤＴ−２ａ、．．．、ＤＴ−Ｊａは、たとえばデータ・シンボル・ベクトルｂｊで表すことができ、ｊ∈［１，２，．．．，Ｊ］である。
【００５１】
第１の処理ユニットＥＩＳＭ−ＰＵ−１、ＥＩＳＭ−ＰＵ−２、ＥＩＳＭ−ＰＵ−Ｊは、効率的なマルチユーザ検出および／またはマルチユーザ分離に適用することができる。これは、インターリーブおよび／またはスクランブルをユーザ別または層別にできることを意味する。例として、１人のユーザ向けの信号が、たとえば、ＱｏＳ要件（ＱｏＳ＝サービスの質（ｑｕａｌｉｔｙ  ｏｆ  ｓｅｒｖｉｃｅ））がそれぞれ異なる複数の信号層を保持することもできる。
【００５２】
符号化され、インターリーブされ、スクランブルされ、かつシンボルマッピングされた第１のデータ・シンボル層ＤＴ−１ａは、Ｌ個のデータ・ブロック１Ｂ−１、１Ｂ−２、．．．、１Ｂ−Ｌに分割するために、第２の処理ユニットＰ−ＰＵ−１に供給することができる。Ｌ個のデータ・ブロックへの分割すなわちセグメント化は、たとえば、拡散を実行するためのものである。同様に、符号化され、インターリーブされ、スクランブルされ、かつシンボルマッピングされた別のデータ・シンボル層ＤＴ−２ａ、．．．、ＤＴ−Ｊａが、別の第２の処理ユニットＰ−ＰＵ−２、．．．、Ｐ−ＰＵ−Ｊによって、対応するＬ個の別のデータ・ブロック２Ｂ−１、２Ｂ−２、．．．、２Ｂ−Ｌ、ＪＢ−１、ＪＢ−２、．．．、ＪＢ−Ｌに分割される。
【００５３】
代替実施形態によれば、いくつかのデータ・ブロックは、１つのデータ・シンボル層ＤＴ−１、ＤＴ−２、．．．、ＤＴ−Ｊから別のデータ・シンボル層ＤＴ−１、ＤＴ−２、．．．、ＤＴ−Ｊへと変わることができる。このような場合、パラメータＬは添え字ｉを付けて書くことができ、ここでｉ＝１，．．．，Ｊである。簡単にするために、以下の説明は、データ・シンボル層ＤＴ−１、ＤＴ−２、．．．、ＤＴ−Ｊごとに同じ個数のデータ・ブロックがある場合について行う。当業者であれば、送信機装置ＴＡ１を異なる個数のデータ・ブロックに対処するように容易に適合させることができよう。
【００５４】
データ・ブロック１Ｂ−１、１Ｂ−２、．．．、１Ｂ−Ｌのそれぞれが、当業者に知られている技法の１つによるマルチキャリア拡散のために、また、ＰＡＰＲ（ＰＡＰＲ＝ピーク平均電力比（Ｐｅａｋ  Ａｖｅｒａｇｅ  Ｐｏｗｅｒ  Ｒａｔｉｏ））を低減するための、３ＧＰＰ  ＬＴＥアップリンク処理により知られているいわゆるＤＦＴ事前符号化（ＤＦＴ＝離散フーリエ変換）などの事前符号化のために、第３の処理ユニットＳＰ−ＰＵ−１−１、ＳＰ−ＰＵ−１−２、．．．、ＳＰ−ＰＵ−１−Ｌのうちの１つに供給される。それによって、第３の処理ユニットＳＰ−ＰＵ−１−１、ＳＰ−ＰＵ−１−２、．．．、ＳＰ−ＰＵ−１−Ｌは、対応する拡散データ・ブロック１Ｂ−１ａ、１Ｂ−２ａ、．．．、１Ｂ−Ｌａを出力する。ＤＦＴ事前符号化により、データ・シンボル・ベクトルｂｊをいわゆるＤＦＴ行列によって拡散して、データ・シンボル・ベクトルｂｊと同じ長さを有し得る拡散データ・シンボル・ベクトルＣｊ，ｌを得ることが可能になり、ここでｊ∈［１，２，．．．，Ｊ］、ｌ∈［１，２，．．．，Ｌ］である。それによって、時間領域信号ＴＤＳｅ（図３参照）または時間領域信号ＴＤＳｅ−１、ＴＤＳｅ−２（図４参照）のＰＡＰＲ（ＰＡＰＲ＝ピーク対平均電力比（Ｐｅａｋ−ｔｏ−Ａｖｅｒａｇｅ  Ｐｏｗｅｒ  Ｒａｔｉｏ））を低減することができる。同様に、別のデータ・ストリームすなわちデータ・ブロック２Ｂ−１、２Ｂ−２、．．．、２Ｂ−Ｌ、ＪＢ−１、ＪＢ−２、ＪＢ−Ｌが、別の第３の処理ユニットＳＰ−ＰＵ−２−１、ＳＰ−ＰＵ−２−２、．．．ＳＰ−ＰＵ−Ｊ−Ｌ、．．．、ＳＰ−ＰＵ−Ｊ−１、ＳＰ−ＰＵ−Ｊ−２、．．．、ＳＰ−ＰＵ−Ｊ−Ｌによって拡散および事前符号化されて、対応する拡散データ・ストリームすなわちデータ・ブロック２Ｂ−ｌａ、２Ｂ−２ａ、．．．、２Ｂ−Ｌａ、ＪＢ−１ａ、ＪＢ−２ａ、．．．、ＪＢ−Ｌａが得られる。
【００５５】
第２の処理ユニットＰ−ＰＵ−１、Ｐ−ＰＵ−２、．．．、Ｐ−ＰＵ−Ｊ、および第３の処理ユニットＳＰ−ＰＵ−１−１、ＳＰ−ＰＵ−１−２、．．．、ＳＰ−ＰＵ−１−Ｌは、ＣＤＭＡ符号またはＩＤＭＡ層（ＩＤＭＡ＝インターリーブ分割多重アクセス）などの異なる層にデータ・シンボル層ＤＴ−１、ＤＴ−２、．．．、ＤＴ−Ｊのマッピングを行う。これらについては、たとえばＬｉ  Ｐｉｎｇ他、「Ａ  Ｓｉｍｐｌｅ  Ａｐｐｒｏａｃｈ  ｔｏ  Ｎｅａｒ−Ｏｐｔｉｍａｌ  Ｍｕｌｔｉｕｓｅｒ  Ｄｅｔｅｃｔｉｏｎ：  Ｉｎｔｅｒｌｅａｖｅ−Ｄｉｖｉｓｉｏｎ  Ｍｕｌｔｉｐｌｅ−Ａｃｃｅｓｓ」、ＩＥＥＥ  ＷＣＮＣ  ２００３、２００３年３月、３９１〜３９６頁に記載されている。
【００５６】
第４の処理ユニットＦＢＧ−ＰＵによって、拡散データ・ブロック１Ｂ−１ａ、１Ｂ−２ａ、．．．、１Ｂ−Ｌａ、２Ｂ−１ａ、２Ｂ−２ａ、．．．、２Ｂ−Ｌａ、ＪＢ−ｌａ、ＪＢ−２ａ、．．．、ＪＢ−Ｌａが、２つ以上の周波数ブロックＦＢ−１、ＦＢ−２、．．．、ＦＢ−Ｍにグループ化される。このグループ化は、すべての層の拡散データ・ブロック１Ｂ−ｌａ、１Ｂ−２ａ、．．．、１Ｂ−Ｌａ、２Ｂ−ｌａ、２Ｂ−２ａ、．．．、２Ｂ−Ｌａ、ＪＢ−ｌａ、ＪＢ−２ａ、．．．、ＪＢ−Ｌａを重ね合わせ、この重ね合わせ拡散データ・ストリームすなわちデータ・ブロックを２つ以上の周波数ブロックＦＢ−１、ＦＢ−２、．．．、ＦＢ−Ｍに分割することによって行うことができる。あるいは、グループ化は、重ね合わせ拡散データ・ブロック１Ｂ−ｌａ、１Ｂ−２ａ、．．．、１Ｂ−Ｌａ、２Ｂ−ｌａ、２Ｂ−２ａ、．．．、２Ｂ−Ｌａ、ＪＢ−ｌａ、ＪＢ−２ａ、．．．、ＪＢ−Ｌａのいくつかを一緒にすることによって行うこともできる。ここで、重ね合わせという用語は、信号の付加を表し得るのに対して、組合せという用語は、シンボル・ベクトルを追加または積み重ねることを表し得る。
【００５７】
周波数ブロックＦＢ−１、ＦＢ−２、．．．、ＦＢ−Ｍのそれぞれは、データ・シンボル・ベクトル
【００５８】
【数１】
0006294481.tif 000002
によって表すことができ、ここでｉ∈［１，２，．．．，Ｍ］であり、ｎｊは対応する周波数ブロックＦＢ−１、ＦＢ−２、．．．、ＦＢ−Ｍのサブキャリアの数である。データ・シンボル・ベクトルｄｉのそれぞれは、たとえば単一のＱＡＭシンボルを表すことができる。サブキャリアは、たとえば複素正弦波からなり、たとえばＯＦＤＭサブキャリア（ＯＦＤＭ＝直交周波数分割多重）とすることができる。
【００５９】
周波数ブロックＦＢ−１、ＦＢ−２、ＦＢ−３、．．．、ＦＢ−Ｍは、たとえば所定の周波数範囲ＰＦＲ１のサブバンドＳＢ−１、ＳＢ−２、ＳＢ−３、．．．、ＳＢ−Ｍとすることができ、サブバンドＳＢ−１、ＳＢ−２、ＳＢ−３、．．．、ＳＢ−Ｍは、ブロック周波数範囲ＢＡ−１、ＢＡ−２、ＢＡ−３、ＢＡ−４、．．．、ＢＡ−Ｍ、ＢＡ−Ｍ＋１（図５ａ参照）によって分離することができる。ブロック周波数範囲ＢＡ−１、ＢＡ−２、ＢＡ−３、ＢＡ−４、．．．、ＢＡ−Ｍ、ＢＡ−Ｍ＋１のうちの１つまたはいくつかは、たとえば、スペクトル・マスク要件を満たす必要があるガード・バンドとすることができる。このようなスペクトル・マスク要件は、たとえば、無線通信規格によってあらかじめ規定されている。あるいは、ブロック周波数範囲ＢＡ−４など、ブロック周波数範囲ＢＡ−１、ＢＡ−２、ＢＡ−３、ＢＡ−４、．．．、ＢＡ−Ｍ、ＢＡ−Ｍ＋１のうちの１つまたはいくつかは、たとえば別の無線通信規格用に確保されているゆえに送信機装置ＴＡ１が使用できない、所定の周波数範囲とすることができる。
【００６０】
別の実施形態によれは、図５ｂに示された別の周波数ブロックＦＢ−１ｂ、ＦＢ−２ｂ、ＦＢ−３ｂ、ＦＢ−４ｂ、ＦＢ−５ｂ、ＦＢ−６ｂ、．．．、ＦＢ−Ｍ−３ｂ、ＦＢ−Ｍ−２ｂ、ＦＢ−Ｍ−１ｂ、ＦＢ−Ｍｂは、別の所定の周波数範囲ＰＦＲ２の別のサブバンドＳＢ−１ｂ、ＳＢ−２ｂ、．．．、ＳＢ−Ｇのサブセットとすることができ、これら別のサブバンドＳＢ−１ｂ、ＳＢ−２ｂ、．．．、ＳＢ−Ｇは、図５ａに関して上記の類似の機能により、別のブロック周波数範囲ＢＡ−１ｂ、ＢＡ−２ｂ、ＢＡ−３ｂ、．．．、ＢＡ−Ｇ、ＢＡ−Ｇ＋１で分離することができる。別のサブバンドＳＢ−１ｂ、ＳＢ−２ｂ、．．．、ＳＢ−Ｇのサブセットは、たとえばＬＴＥ  ＰＲＢとすることができる。
【００６１】
これは、前述の２つの実施形態によれば、周波数ブロックの数Ｍが、分離サブバンドの数、または送信機装置ＴＡ１が機能すべき分離サブバンドのサブセットの総数であることを意味する。
【００６２】
再び図１を参照すると、変調器ＭＣ−ＭＯＤ１の処理機能は、第１の処理ユニットＩＦＦＴ−ＰＵと、第２の処理ユニットＤ−ＰＵと、ミキサＭＩＸ−１−１、ＭＩＸ−１−２、．．．、ＭＩＸ−１−Ｍの第１のグループと、ローパス・フィルタＬＰＦ−１、ＬＰＦ−２、．．．、ＬＰＦ−Ｍのグループと、アップサンプリング処理ユニットＵＳ−ＰＵ−１、ＵＳ−ＰＵ−２、．．．、ＵＳ−ＰＵ−Ｍのグループと、ミキサＭＩＸ−２−１、ＭＩＸ−２−２、．．．、ＭＩＸ−２−Ｍの第２のグループとに分割することができる。
【００６３】
処理ユニットＩＦＦＴ−ＰＵは、入力パラメータとして、データ・シンボル・ベクトルｄｉの変更バージョン
【００６４】
【数２】
0006294481.tif 000003
を、元のデータ・シンボル・ベクトルｄｉの始めおよび終わりに１つのゼロまたはいくつかのゼロをシンボルとして付加することによって得ることができる。データ・シンボル・ベクトルｄｉ’の始めのゼロのシンボル数、および終わりのゼロのシンボル数は、たとえば、いわゆるスペクトル・マスクで規定されるいずれかの周波数依存送信電力要件などの、送信機装置ＴＡ１から送信される無線周波数信号ＲＦＳが満たすべき要件によって決まる。これにより、考察されるサブバンド当たりの送信電力が、たとえばｄＢｍで測定されて、ある特定の値未満に確実にとどまるようになる。
【００６５】
第１の処理ユニットＩＦＦＴ−ＰＵは、ＩＦＦＴ（ＩＦＦＴ＝逆高速フーリエ変換（Ｉｎｖｅｒｓｅ  Ｆａｓｔ  Ｆｏｕｒｉｅｒ  Ｔｒａｎｓｆｏｒｍａｔｉｏｎ））を実行し、周波数ブロックＦＢ−１、．．．、ＦＢ−Ｍまたは周波数ブロックＦＢ−１ｂ、．．．、ＦＢ−Ｍｂをゼロ周波数あたりの異なる周波数位置に本質的に含む時間領域信号ＴＤＳを、データ・シンボル・ベクトルｄｉ’に基づいて生成する。ＩＦＦＴのサイズＮは（データ・シンボル・ベクトルｄｉ’の要素の数に等しい、入力部における離散周波数点に関して）、Ｎ＝ｎ１＋ｎ２＋・・・ｎＭ＋ｎｇ＋ｎｆｉｌｌで与えることができ、ここでｎｇ＝Ｋ・（Ｍ−１）は、すべてのブロック周波数範囲ＢＡ−１、ＢＡ−２、ＢＡ−３、ＢＡ−４、．．．、ＢＡ−Ｍ、ＢＡ−Ｍ＋１（図５ａの実施形態を参照）の、または別のすべてのブロック周波数範囲ＢＡ−１ｂ、ＢＡ−２ｂ、ＢＡ−３ｂ、．．．、ＢＡ−Ｇ、ＢＡ−Ｇ＋１（図５ｂの実施形態を参照）の、いわゆるガード・サブキャリアの総数と等しく、Ｋは１つのブロック周波数範囲のガード・サブキャリアの数と等しく、ｎｆｉｌｌは、最も近い２の累乗にＮを等しくする数に等しい。ブロック周波数範囲は、後続のローパス・フィルタＬＰＦ−１、ＬＰＦ−２、．．．、ＬＰＦ−Ｍの保護のために使用される。したがって、ゼロの値がガード・サブキャリアに割り当てられ、それによって、ガード・サブキャリアはエネルギーを全く搬送しない。ガード・サブキャリアの総数は、ＵＦＭＣ（ＵＦＭＣ＝ユニバーサル・フィルタ式マルチキャリア（Ｕｎｉｖｅｒｓａｌ  Ｆｉｌｔｅｒｅｄ  Ｍｕｌｔｉ−Ｃａｒｒｉｅｒ））と呼ばれることがある高度マルチキャリア信号を生成するための適用フィルタの端部急峻度によって決まり得る。第１の代替形態では、類似のタイプの周波数シフト式フィルタを適用することができ、それによって、様々なブロック周波数範囲ＢＡ−１、．．．、ＢＡ−Ｍ＋１またはＢＡ−１ｂ、．．．、ＢＡ−Ｇ＋１のガード・サブキャリアの数を同一にすることができる。当業者には簡単明瞭である第２の代替形態では、様々なブロック周波数範囲ＢＡ−１、．．．、ＢＡ−Ｍ＋１またはＢＡ−１ｂ、．．．、ＢＡ−Ｇ＋１に対してガード・サブキャリアの数が変わり得る。このような異なる数のガード・サブキャリアは、たとえば、ブロック周波数範囲ＢＡ−１、．．．、ＢＡ−Ｍ＋１またはＢＡ−１ｂ、．．．、ＢＡ−Ｇ＋１を使用する様々な無線アクセス技術の最大許容送信電力が異なり得る場合に必要になることがある。
【００６６】
時間領域信号ＴＤＳは、第２の処理ユニットＤ−ＰＵに供給されて、時間領域信号ＴＤＳの複製ＴＤＳ−１、ＴＤＳ−２、．．．、ＴＤＳ−Ｍが生成され得る。
【００６７】
ミキサＭＩＸ−１−１、ＭＩＸ−１−２、．．．、ＭＩＸ−１−Ｍの第１のグループは、周波数シフトを時間領域信号ＴＤＳ−１、ＴＤＳ−２、．．．、ＴＤＳ−Ｍのアップコンバージョンまたはダウンコンバージョンによって行うために使用され、それにより時間領域信号ＴＤＳ−１、ＴＤＳ−２、．．．、ＴＤＳ−Ｍの１つごとに周波数ブロックＦＢ−１、．．．、ＦＢ−Ｍまたは周波数ブロックＦＢ−１ｂ、．．．、ＦＢ−Ｍｂのうちの１つをゼロ周波数あたりに置くことができるようになる。
【００６８】
時間領域信号ＴＤＳ−１は、第１のミキサＭＩＸ−１−１を使用して第１の周波数ｆ１−１でアップコンバートまたはダウンコンバートされて、第１のアップコンバートまたはダウンコンバート済み時間領域信号ＴＤＳ−１ｂが生成され得る。同様に、別の時間領域信号ＴＤＳ−２、．．．、ＴＤＳ−Ｍは、対応する別の第１のミキサＭＩＸ−１−２、．．．、ＭＩＸ−１−Ｍを使用して、対応する別の第１の周波数ｆ１−２、．．．、ｆ１−Ｍでアップコンバートまたはダウンコンバートされて、別の第１のアップコンバートまたはダウンコンバート済み時間領域信号ＴＤＳ−２ｂ、．．．、ＴＤＳ−Ｍｂが生成され得る。
【００６９】
第１のアップコンバートまたはダウンコンバート済み時間領域信号ＴＤＳ−１ｂはローパス・フィルタＬＰＦ−１に供給され、このローパス・フィルタは、フィルタリング済み時間領域信号ＴＤＳ−１ｃを生成する。第１のローパス・フィルタＬＰＦ−１のカットオフ周波数は、たとえば、帯域幅Δｆ１−１の半分に等しくなるように、または第１の周波数ブロックＦＢ−１の帯域幅Δｆ１−１（図５ａ参照）の半分よりも、もしくは第１の周波数ブロックＦＢ−１ｂの帯域幅Δｆ２−１（図５ｂ参照）の半分よりもわずかに大きくなるように適合させることができ、それにより第１のローパス・フィルタＬＰＦ−１は、第１の周波数ブロックＦＢ−１、ＦＢ−１ｂの周波数範囲の外側のすべての周波数成分を可能な限り阻止する、かつ／または減衰させることができるようになる。あるいは、異なるカットオフ周波数をΔｆ１−１に応じて選択することもできる。短いフィルタ長では、第１の周波数ブロックＦＢ−１は、いくらかのエネルギーをすぐ隣の第２の周波数ブロックＦＢ−２の中へなお放射する可能性があることに留意されたい。この残留エネルギーは、対応する受信機装置で処理することができる。同様に、別の第１のアップコンバートまたはダウンコンバート済み時間領域信号ＴＤＳ−２ｂ、．．．、ＴＤＳ−Ｍｂが、対応する別のローパス・フィルタＬＰＦ−２、．．．、ＬＰＦ−Ｍに供給されて、対応する別のフィルタリング済み時間領域信号ＴＤＳ−２ｃ、．．．、ＴＤＳ−Ｍｃが生成される。周波数ブロックＦＢ−１ｂ、ＦＢ−２ｂ、ＦＢ−３ｂ、ＦＢ−４ｂ、ＦＢ−５ｂ、ＦＢ−６ｂ、．．．、ＦＢ−Ｍ−３ｂ、ＦＢ−Ｍ−２ｂ、ＦＢ−Ｍ−１ｂ、ＦＢ−Ｍｂが、図５ｂに示されるようにサブバンドＳＢ−１ｂ、ＳＢ−２ｂ、ＳＢ−Ｇのサブセットである場合には、すべてのローパス・フィルタＬＰＦ−１、ＬＰＦ−２、．．．、ＬＰＦ−Ｍを同一にすることができる。
【００７０】
フィルタリング済み時間領域信号ＴＤＳー１ｃは、時間領域信号ＴＤＳ−１ｃの補間およびサンプリング・レートの適合化のためのアップサンプリング処理ユニットＵＳ−ＰＵ−１に供給されて、アップサンプリング済み時間領域信号ＴＤＳ−１ｄが生成される。サンプリング・レートは、サンプリング・レートが十分に高いのでそれぞれの帯域幅で後のすべての周波数シフトをカバーするようにして、適合させることができる。同様に、別のフィルタリング済み時間領域信号ＴＤＳ−２ｃ、．．．、ＴＤＳ−Ｍｃは、対応する別のアップサンプリング処理ユニットＵＳ−ＰＵ−２、．．．、ＵＳ−ＰＵ−Ｍに供給されて、対応する別のアップサンプリング済み時間領域信号ＴＤＳ−２ｄ、．．．、ＴＤＳ−Ｍｄが生成される。
【００７１】
アップサンプリング済み時間領域信号ＴＤＳ−１ｄは、第２のミキサＭＩＸ−２−１を使用して第２の周波数ｆ２−１でアップコンバートされて、ゼロ周波数から中間周波数ｆ２−１へとシフトされている第２のアップコンバート済み時間領域信号ＴＤＳ−１ｅが生成される。同様に、別のアップサンプリング済み時間領域信号ＴＤＳ−２ｄ、．．．、ＴＤＳ−Ｍｄは、対応する別の第２のミキサＭＩＸ−２−２、．．．、ＭＩＸ−２−Ｍを使用して、対応する別の第２の周波数ｆ２−２、．．．、ｆ２−Ｍでアップコンバートされて、対応する別の第２のアップコンバート済み時間領域信号ＴＤＳ−２ｅ、．．．、ＴＤＳ−Ｍｅが生成される。
【００７２】
図１のバックエンド処理ユニットＢＥ−ＰＵに関し、バックエンド処理ユニットＢＥ−ＰＵ１の第１の実施形態がより詳細に図３で示されている。図３に示された各処理ユニットにわたって処理機能を分割することは重要ではなく、また当業者には理解できるように、処理ユニットの数、処理機能の数、および各処理ユニットへの処理機能の割当ては、添付の特許請求の範囲で定義された本発明の実施形態の範囲から逸脱することなく異なり得る。バックエンド処理ユニットＢＥ−ＰＵ１は、コンバイナＣＯＭＢ、デジタル−アナログ・コンバータ・ユニットＤ／Ａ−Ｃ−Ｕ、ミキサＭＩＸ３、電力増幅器ＰＡ、および送受切換器などのフィルタ・ユニットＦＩＬ−Ｕを含む。
【００７３】
第２のアップコンバート済み時間領域信号ＴＤＳ−１ｅ、ＴＤＳ−２ｅ、．．．、ＴＤＳ−Ｍｅは、コンバイナＣＯＭＢで重ね合わされて、すなわち加え合わされて総合時間領域信号ＴＤＳｅが生成される。デジタル信号である総合時間領域信号ＴＤＳ−１ｅは、デジタル−アナログ・コンバータ・ユニットＤ／Ａ−Ｃ−Ｕでアナログ時間領域信号ＴＤＳｅ−ａに変換される。様々な周波数ブロックＦＢ−１、．．．、ＦＢ−ＭまたはＦＢ−１ｂ、．．．、ＦＢ−Ｍｂを様々な周波数位置ｆ２−１、ｆ２−２、．．．、ｆ２−Ｍで含むアナログ時間領域信号ＴＤＳｅ−ａは、ミキサＭＩＸ３を使用して第３の周波数ｆ３でアップコンバートされて、たとえばＧＨｚ範囲の最終中心周波数位置にシフトされている無線周波数信号ＲＦＳ−ｄが生成される。無線周波数信号ＲＦＳ−ａは、電力増幅器ＰＡで増幅されて増幅済み無線周波数信号ＲＦＳ−ａａが生成される。増幅済み無線周波数信号ＲＦＳ−ａａは、フィルタ・ユニットＦＩＬ−Ｕでフィルタリングされて、送信機装置ＴＡ１に接続されたアンテナ・システムに加えられる無線周波数信号ＲＦＳが生成される。
【００７４】
図１のバックエンド処理ユニットＢＥ−ＰＵに関し、別のバックエンド処理ユニットＢＥ−ＰＵ２の第２の実施形態がより詳細に図４で示されている。図４に示された各処理ユニットにわたって処理機能を分割することは重要ではなく、また当業者には理解できるように、処理ユニットの数、処理機能の数、および各処理ユニットへの処理機能の割当ては、添付の特許請求の範囲で定義された本発明の実施形態の範囲から逸脱することなく異なり得る。バックエンド処理ユニットＢＥ−ＰＵ２は、第１の無線処理サブユニットＢＥＰＣ１と、第２の無線処理サブユニットＢＥＰＣ２と、ハイブリッド回路によって構築できるＲＦ電力コンバイナ／方向性結合器（ＲＦ＝無線周波数）などのコンバイナＣＯＭＢ２とを含む。あるいは、バックエンド処理ユニットＢＥ−ＰＵ２は、２つよりも多い無線処理回路チェーンを含むこともできる。
【００７５】
第１の無線処理サブユニットＢＥＰＣ１は、コンバイナＣＯＭＢ１−１、デジタル−アナログ・コンバータ・ユニットＤ／Ａ−Ｃ−Ｕ１、ミキサＭＩＸ３−１、電力増幅器ＰＡ１、および空洞フィルタで実現できる、第１の周波数範囲用のバンドパスＲＦ／マイクロ波フィルタなどのフィルタ・ユニットＦＩＬ−Ｕ１を含む。同様に、第２の無線処理サブユニットＢＥＰＣ２は、コンバイナＣＯＭＢ１−２、デジタル−アナログ・コンバータ・ユニットＤ／Ａ−Ｃ−Ｕ２、ミキサＭＩＸ３−２、電力増幅器ＰＡ２、および第２の周波数範囲のフィルタ・ユニットＦＩＬ−Ｕ２を含む。
【００７６】
第２のアップコンバート済み時間領域信号ＴＤＳ−１ｅ、ＴＤＳ−２ｅ、．．．、ＴＤＳ−Ｆｅからなる第１のグループは、コンバイナＣＯＭＢ１−１で重ね合わされて、すなわち加え合わされて第１の時間領域信号ＴＤＳｅ−１が生成される。同様に、第２のアップコンバート済み時間領域信号ＴＤＳ−Ｇｅ、．．．、ＴＤＳ−Ｍｅからなる第２のグループは、コンバイナＣＯＭＢ１−２で重ね合わされて、すなわち加え合わされて第２の時間領域信号ＴＤＳｅ−１ａが生成される。
【００７７】
第１のデジタル信号である第１の時間領域信号ＴＤＳｅ−１は、デジタル−アナログ・コンバータ・ユニットＤ／Ａ−Ｃ−Ｕ１で第１のアナログ時間領域信号ＴＤＳｅ−１ａに変換される。同様に、第２のデジタル信号である第２の時間領域信号ＴＤＳｅ−２は、デジタル−アナログ・コンバータ・ユニットＤ／Ａ−Ｃ−Ｕ２で第２のアナログ時間領域信号ＴＤＳｅ−２ａに変換される。
【００７８】
様々な周波数ブロックＦＢ−１、．．．、ＦＢ−ＦまたはＦＢ−１ｂ、．．．、ＦＢ−Ｆｂを様々な周波数位置ｆ２−１、ｆ２−２、．．．、ｆ２−Ｆで含む第１のアナログ時間領域信号ＴＤＳｅ−１ａは、ミキサＭＩＸ３−１を使用して第３の周波数ｆ３でアップコンバートされ、それによって最終中心周波数位置にシフトされている第１の無線周波数信号ＲＦＳ−１が生成される。同様に、様々な周波数ブロックＦＢ−Ｇ、．．．、ＦＢ−ＭまたはＦＢ−Ｇｂ、．．．、ＦＢ−Ｍｂを様々な周波数位置ｆ２−Ｇ、．．．、ｆ２−Ｍで含む第２のアナログ時間領域信号ＴＤＳｅ−２ａは、ミキサＭＩＸ３−２を使用して第３の周波数ｆ３でアップコンバートされ、それによって最終中心周波数位置にシフトされている第２の無線周波数信号ＲＦＳ−２が生成される。
【００７９】
第１の無線周波数信号ＲＦＳ−１は、電力増幅器ＰＡ１で増幅されて第１の増幅済み無線周波数信号ＲＦＳ−１ａが生成される。同様に、第２の無線周波数信号ＲＦＳ−２は、電力増幅器ＰＡ２で増幅されて第２の増幅済み無線周波数信号ＲＦＳ−２ａが生成される。
【００８０】
第１の増幅済み無線周波数信号ＲＦＳ−１ａは、フィルタ・ユニットＦＩＬ−Ｕ１でフィルタリングされて第１のフィルタリング済み無線周波数信号ＲＦＳ−１ｂが生成され、また第２の増幅済み無線周波数信号ＲＦＳ−２ａは、フィルタ・ユニットＦＩＬ−Ｕ２でフィルタリングされて第２のフィルタリング済み無線周波数信号ＲＦＳ−２ｂが生成される。
【００８１】
第１のフィルタリング済み無線周波数信号ＲＦＳ−１ｂと第２のフィルタリング済み無線周波数信号ＲＦＳ−２ｂは、コンバイナＣＯＭＢ２で重ね合わされて、すなわち加え合わされて無線周波数信号ＲＦＳが生成される。無線周波数信号ＲＦＳは、送信機装置ＴＡ１に接続されているアンテナ・システムに加えられる。
【００８２】
断片化スペクトルの所定の帯域幅ＰＤＦ１、ＰＤＦ２（図５ａおよび図５ｂ参照）があまりに広く、たとえばそのような広い周波数範囲にわたっての適切なインピーダンス整合が困難であることにより、バックエンド処理ユニットＢＥ−ＰＵ１の処理ユニットによって効率的に処理されずに効率が低下し、それによって信号品質が、たとえば所定の帯域幅ＰＤＦ１、ＰＤＦ２の両端の一方で悪化し、それゆえにエラー・ベクトルの大きさ、ＩＱ不均衡などの所定の要件を満たさないことになる場合に、第２の実施形態は好適に適用することができる。
【００８３】
図６は、第２の実施形態の第１の代替形態によるマルチキャリア信号を条件付ける送信機装置ＴＡ２−１のブロック図を概略的に示し、この装置は周波数ブロックでのＩＤＦＴ（ＩＤＦＴ＝逆離散フーリエ変換）を特徴とする。図６に示された各処理ユニットにわたって処理機能を分割することは重要ではなく、また当業者には理解できるように、処理ユニットの数、処理機能の数、および各処理ユニットへの処理機能の割当ては、添付の特許請求の範囲で定義された本発明の実施形態の範囲から逸脱することなく異なり得る。図１の要素に対応する図６中の要素は、同じ参照数字で示されている。
【００８４】
送信機装置ＴＡ２−１は、フロントエンド処理ユニットＦＥ−ＰＵと、変調器ＭＣ−ＭＯＤ１とは異なる変調器ＭＣ−ＭＯＤ２−１と、バックエンド処理ユニットＢＥ−ＰＵとを含む。変調器ＭＣ−ＭＯＤ２−１の処理機能は、処理ユニットＩＤＦＴ−１、ＩＤＦＴ−２、．．．、ＩＤＦＴ−Ｍの第１のグループと、バンドパス・フィルタＢＰＦ−１、ＢＰＦ−２、．．．、ＢＰＦ−Ｍの第２のグループとに分割することができる。
【００８５】
複素時間領域送信信号ベクトルｘの数学的記述は、たとえば次式で与えることができる。
【００８６】
【数３】
0006294481.tif 000004
ここで
Ｍ：ＬＴＥ  ＰＲＢの個数などの周波数ブロックの個数、
Ｆｉ：個数ｉの周波数ブロックをフィルタリングするためのバンドパスＦＩＲフィルタ（ＦＩＲ＝有限インパルス応答）を含む、個数ｉの周波数ブロックについてのいわゆるテプリッツ行列、
Ｖｉ：たとえば正弦波サブキャリアにＩＤＦＴを適用し、かつデータ・シンボル・ベクトルｄｉをマッピングするための、個数ｉの周波数ブロックについての複素行列、
ｄｉ：個数ｉの周波数ブロックについてのデータ・シンボル・ベクトル
である。
【００８７】
第２の実施形態による送信機装置によって処理するための、ここで与えられる数学的記述は近似によって、第１の実施形態による、また以下で説明される第３の実施形態による送信機装置に使用することもできる。第１の実施形態および第３の実施形態による送信機装置内に適用されるローパス・フィルタは、限定されたバリア効果または限定された抑制効果により、小さな近似誤差を生じる可能性がある。これにより、信号条件付け中に小さな信号エラーが生じる可能性があるが、これらのエラーは無視してよい。
【００８８】
データ・シンボル・ベクトルｄ１は、処理ユニットＩＤＦＴ−１、ＩＤＦＴ−２、．．．、ＩＤＦＴ−Ｍからなる第１のグループのうちの第１の１つのＩＤＦＴ−１に修正なしで（第１の実施形態と比較して）直接加えられて、補間およびアップコンバージョンを含む第１のＩＤＦＴが、それぞれのＤＦＴベクトルを長さおよび相回転に関して適切に選択することによって実行され、また、第１の周波数ブロックＦＢ−１、ＦＢ−１ｂを周波数ｆ１−２で含む時間領域信号ＴＤＳ−２１が生成される。ＩＤＦＴは、ｎ１×Ｎの次元を有することができ、ここでｎ１は、第１の周波数ブロックＦＢ−１、ＦＢ−１ｂについて変調されるべきサブキャリアの数であり、Ｎは、所定の周波数範囲ＰＤＦ１、ＰＤＦ２全体がサブキャリアで占有された場合に、所定のサブキャリア距離で所定の周波数範囲ＰＤＦ１、ＰＤＦ２に理論的にぴったり入るサブキャリアの総数に等しい。同様に、データ・シンボル・ベクトルｄ２、．．．、ｄＭは、対応する別の処理ユニットＩＤＦＴ−２、．．．、ＩＤＦＴ−Ｍに修正なしで直接加えられて、補間およびアップコンバージョンを含む別のＩＤＦＴ（ＩＤＦＴ＝離散逆フーリエ変換）が実行され、また、周波数ブロックＦＢ−２、．．．、ＦＢ−ＭまたはＦＢ−２ｂ、．．．、ＦＢ−Ｍｂのうちの１つを対応する周波数ｆ２−２、．．．、ｆ２−Ｍの１つにおいてそれぞれが含む別の時間領域信号ＴＤＳ−２２、．．．、ＴＤＳ−２Ｍが生成される。
【００８９】
処理ユニットＩＤＦＴ−１、ＩＤＦＴ−２、．．．、ＩＤＦＴ−Ｍからなる第１のグループは、送信機装置ＴＡ１について前述したのと同様にサブバンドまたはサブバンドのサブセットとすることもできる周波数ブロックＦＢ−１、ＦＢ−２、．．．、ＦＢ−Ｍごとの単独フーリエ変換を可能にする（図５ａおよび図５ｂも参照）。
【００９０】
時間領域信号ＴＤＳー２１は、グループ・バンドパス・フィルタＢＰＦ−１、ＢＰＦ−２、．．．、ＢＰＦ−Ｍのうちの第１の１つのＢＰＦ−１に供給され、このＢＰＦ−１は、フィルタリング済み時間領域信号ＴＤＳ−１ｅを生成する。第１のバンドパス・フィルタＢＰＦ−１の帯域幅は、たとえば、送信機装置ＴＡ１によって前述したのと同様に、第１の周波数ブロックＦＢ−１（図５ａ参照）の帯域幅Δｆ１−１、または第１の周波数ブロックＦＢ−１ｂ（図５ｂ参照）の帯域幅Δｆ２−１に適合させることができ、それにより、第１のバンドパス・フィルタＢＰＦ−１は、第１の周波数ブロックＦＢ−１、ＦＢ−１ｂの周波数範囲の外側のすべての周波数成分を阻止および減衰させることができるようになる。同様に、別の時間領域信号ＴＤＳ−２２、．．．、ＴＤＳ−２Ｍが、対応する別のバンドパス・フィルタＢＰＦ−２、．．．、ＢＰＦ−Ｍに供給されて、別のフィルタリング済み時間領域信号ＴＤＳ−２ｅ、．．．、ＴＤＳ−Ｍｅが生成される。フィルタリング済み時間領域信号ＴＤＳ−ｌｅ、ＴＤＳ−２ｅ、．．．、ＴＤＳ−Ｍｅは、バックエンド処理ユニットＢＥ−ＰＵに供給される。
【００９１】
図７は、第２の実施形態の第２の代替形態によるマルチキャリア信号を条件付ける送信機装置ＴＡ２−２のブロック図を概略的に示す。図７に示された各処理ユニットにわたって処理機能を分割することは重要ではなく、また当業者には理解できるように、処理ユニットの数、処理機能の数、および各処理ユニットへの処理機能の割当ては、添付の特許請求の範囲で定義された本発明の実施形態の範囲から逸脱することなく異なり得る。図１または図６の要素に対応する図７中の要素は、同じ参照数字で示されている。
【００９２】
送信機装置ＴＡ２−２は、フロントエンド処理ユニットＦＥ−ＰＵと、変調器ＭＣ−ＭＯＤ２−１とは異なる変調器ＭＣ−ＭＯＤ２−２と、バックエンド処理ユニットＢＥ−ＰＵとを含む。変調器ＭＣ−ＭＯＤ２−２の処理機能は、処理ユニットＩＤＦＴ−１ａ、ＩＤＦＴ−２ａ、．．．、ＩＤＦＴ−Ｍａの第１のグループと、ローパス・フィルタＬＰＦ−１、ＬＰＦ−２、．．．、ＬＰＦ−Ｍの第２のグループと、ミキサＭＩＸ−２−１、．．．、ＭＩＸ−２−Ｍの第３のグループとに分割される。
【００９３】
データ・シンボル・ベクトルｄ１は、処理ユニットＩＤＦＴ−１ａ、ＩＤＦＴ−２ａ、．．．、ＩＤＦＴ−Ｍａからなる第１のグループのうちの第１の１つのＩＤＦＴ−１ａに修正なしで直接加えられて、第２の実施形態の第１の代替形態と同様の補間をすでに含む第１のＩＤＦＴが実行される。第１のＩＤＦＴでは、周波数指標ゼロあたりに第１の周波数ブロックＦＢ−１を含む時間領域信号ＴＤＳ−２１ａを生成する。これは、処理ユニットＩＤＦＴ−１ａが、処理ユニットＩＤＦＴ−１と比較して、周波数ｆ１−２へのアップコンバージョンを含まないことを意味する。同様に、データ・シンボル・ベクトルｄ２、．．．、ｄＭは、対応する別の処理ユニットＩＤＦＴ−２ａ、．．．、ＩＤＦＴ−Ｍａに修正なしで直接加えられて、別のＩＤＦＴ（ＩＤＦＴ＝離散逆フーリエ変換）が実行されると共に、対応する周波数ブロックＦＢ−１、．．．、ＦＢ−ＭまたはＦＢ−１ｂ、．．．、ＦＢ−Ｍｂをゼロ周波数で含む別の時間領域信号ＴＤＳ−２２ａ、．．．、ＴＤＳ−２Ｍａが生成される。
【００９４】
処理ユニットＩＤＦＴ−１ａ、ＩＤＦＴ−２ａ、．．．、ＩＤＦＴ−Ｍａからなる第１のグループは、送信機装置ＴＡ１および送信機装置ＴＡ２−１について前述したのと同様にサブバンドまたはサブバンドのサブセットとすることもできる周波数ブロックＦＢ−１、．．．、ＦＢ−ＭまたはＦＢ−１ｂ、．．．、ＦＢ−Ｍｂごとの単独フーリエ変換を可能にする（図５ａおよび図５ｂも参照）。
【００９５】
時間領域信号ＴＤＳー２１ａは、ローパス・フィルタＬＰＦ−１に供給され、このＬＰＦ−１は、フィルタリング済み時間領域信号ＴＤＳ−２１ｂを生成する。同様に、別の時間領域信号ＴＤＳ−２２ａ、．．．、ＴＤＳ−２Ｍａは、別のローパス・フィルタＬＰＦ−２、．．．、ＬＰＦ−Ｍのうちの対応する１つに供給されて、別のフィルタリング済み時間領域信号ＴＤＳ−２２ｂ、．．．、ＴＤＳ−２Ｍｂが生成される。
【００９６】
周波数ブロックＦＢ−１ｂ、．．．、ＦＢ−Ｍｂがサブバンドのサブセットである場合、処理ユニットＩＤＦＴ−１ａ、ＩＤＦＴ−２ａ、．．．、ＩＤＦＴ−Ｍａは同一とすることができ、またローパス・フィルタＬＰＦ−１、ＬＰＦ−２、．．．、ＬＰＦ−Ｍも同一とすることができる。
【００９７】
フィルタリング済み時間領域信号ＴＤＳ−２１ｂは、ミキサＭＩＸ−２−１を使用して周波数ｆ２−１でアップコンバートされて、アップコンバート済み時間領域信号ＴＤＳ−１ｅが生成される。同様に別のフィルタリング済み時間領域信号ＴＤＳ−２２ｂ、．．．、ＴＥＳ−２Ｍｂは、別のミキサＭＩＸ−２−２、．．．、ＭＩＸ−２−Ｍを使用して、対応する別の周波数ｆ２−２、．．．、ｆ２−Ｍでアップコンバートされて別のアップコンバート済み時間領域信号ＴＤＳ−２ｅ、．．．、ＴＤＳ−Ｍｅが生成される。
【００９８】
アップコンバート済み時間領域信号ＴＤＳ−１ｅ、ＴＤＳ−２ｅ、．．．、ＴＤＳ−Ｍｅは、バックエンド処理ユニットＢＥ−ＰＵに供給される。
【００９９】
図８は、第３の実施形態によるマルチキャリア信号を条件付ける送信機装置ＴＡ３のブロック図を概略的に示す。図８に示された各処理ユニットにわたって処理機能を分割することは重要ではなく、また当業者には理解できるように、処理ユニットの数、処理機能の数、および各処理ユニットへの処理機能の割当ては、添付の特許請求の範囲で定義された本発明の実施形態の範囲から逸脱することなく異なり得る。図１の要素に対応する図７中の要素は、同じ参照数字で示されている。
【０１００】
送信機装置ＴＡ３は、データ・シンボル層ＤＴ−１、ＤＴ−２、．．．、ＤＴ−Ｊの入力部と、フロントエンド処理ユニットＦＥ−ＰＵと、周波数ブロックＦＢ−１、ＦＢ−Ｍ（図５ａ参照）またはＦＢ−１ｂ、ＦＢ−Ｍｂ（図５ｂ参照）を変調およびさらに処理するための変調器ＭＣ−ＭＯＤ３（図８に点線で示す）と、バックエンド処理ユニットＢＥ−ＰＵと、無線周波数信号ＲＦＳの出力部とを含む。
【０１０１】
変調器ＭＣ−ＭＯＤ３の処理機能は、処理ユニットＩＦＦＴ−１、ＩＦＦＴ−２、．．．、ＩＦＦＴ−Ｍのグループと、ローパス・フィルタＬＰＦ−１、ＬＰＦ−２、．．．、ＬＰＦ−Ｍのグループと、アップサンプリング処理ユニットＵＳ−ＰＵ−１ａ、ＵＳ−ＰＵ−２ａ、．．．、ＵＳ−ＰＵ−Ｍａのグループと、ミキサＭＩＸ−２−１、ＭＩＸ−２−２、ＭＩＸ−２−Ｍのグループとに分割することができる。
【０１０２】
処理ユニットＩＦＦＴ−１、ＩＦＦＴ−２、．．．、ＩＦＦＴ−Ｍからなるグループのうちの第１の１つのＩＦＦＴ−１は、入力パラメータとしてデータ・シンボル・ベクトルｄ１の変更バージョン
【０１０３】
【数４】
0006294481.tif 000005
を、第１の実施形態と同様に、元のデータ・シンボル・ベクトルｄ１の始めおよび終わりに１つのゼロまたはいくつかのゼロをシンボルとして付加することによって得ることができる。第１の処理ユニットＩＦＦＴ−１は、第１のＩＦＦＴを実行し、周波数ブロックＦＢ−１またはＦＢ−１ｂをゼロ周波数において本質的に含む第１の時間領域信号ＴＤＳ−１ａを、データ・シンボル・ベクトルｄｉ’に基づいて生成する。第１のＩＦＦＴのサイズＮ１は、Ｎ１＝ｎ１＋ｎｆｉｌｌ，１で与えることができる。これは、Ｎ１が、項ｎｆｉｌｌ，１によって付加されたゼロ・サブキャリアの数が、適切な次のローパス・フィルタリングを確実なものにするのに十分であるという条件のもとで、それぞれの周波数ブロックＦＢ−１、．．．、ＦＢ−ＭまたはＦＢ−１ｂ、．．．、ＦＢ−Ｍｂの変調サブキャリアの数よりも大きい最小の２の累乗に等しい数になることを意味し、その結果、レートは、ローパス・フィルタリング動作を帯域端で十分な減衰を得るのに十分な高いフィルタ次数で行うことができるので、十分に高いものになる。こうすると、このように信号を生成することによる近似誤差を無視してよいことが確実になる。同様に、別の処理ユニットＩＦＦＴ−２、．．．、ＩＦＦＴ−Ｍは、対応する変更済みデータ・シンボル・ベクトルｄ１’、．．．、ｄＭ’について別のＩＦＦＴを実施して、別の時間領域信号ＴＤＳ−２ａ、．．．、ＴＥＳ−Ｍａが得られ、この信号はそれぞれ、周波数ブロックＦＢ−２、．．．、ＦＢ−ＭまたはＦＢ−２ｂ、．．．、ＦＢ−Ｍｂのうちの１つをゼロ周波数において本質的に含む。
【０１０４】
第１の時間領域信号１ａはローパス・フィルタＬＰＦ−１に供給され、このＬＰＦ−１は、フィルタリング済み時間領域信号ＴＤＳ−１ｃを生成する。同様に、別の時間領域信号ＴＤＳ−２ａ、．．．、ＴＤＳ−Ｍａは、別のローパス・フィルタＬＰＦ−２、．．．、ＬＰＦ−Ｍに供給されて、別の時間領域信号ＴＤＳ−２ｃ、．．．ＴＤＳ−Ｍｃが生成される。周波数ブロックＦＢ−１ｂ、．．．、ＦＢ−Ｍｂが、図５ｂに示されるようにサブバンドＳＢ−１ｂ、ＳＢ−２ｂ、．．．、ＳＢ−Ｇのサブセットである場合、すべてのローパス・フィルタＬＰＦ−１、ＬＰＦ−２、．．．、ＬＰＦ−Ｍは同一にすることができる。
【０１０５】
フィルタリング済み時間領域信号ＴＤＳ−１ｃは、所定の帯域幅ＰＤＦ１、ＰＤＦ２に合う所定のサンプリング・レートへのフィルタリング済み時間領域信号ＴＤＳ−１ｃのサンプリング・レートの補間および適合化のため、およびアップサンプリング済み時間領域信号ＴＤＳ−１ｄを生成するためにアップサンプリング処理ユニットＵＳ−ＰＵ−１ａに供給される。同様に、別のフィルタリング済み時間領域信号ＴＤＳ−２ｃ、．．．、ＴＤＳ−Ｍｃはそれぞれ、補間のための、ならびに所定のサンプリング・レートへの対応するサンプリング・レートの適合化のための、対応する別のアップサンプリング処理ユニットＵＳ−ＰＵ−２ａ、．．．、ＵＳ−ＰＵ−Ｍａに供給されて、別のアップサンプリング済み時間領域信号ＴＤＳ−２ｄ、．．．、ＴＤＳ−Ｍｄが生成される。
【０１０６】
図８に示されていない代替実施形態によれば、時間領域信号ＴＤＳ−２ａ、．．．、ＴＤＳ−Ｍａは、ゼロ・サブキャリアのパディングにより補間をあらかじめ含むことができ、したがって、領域信号ＴＤＳ−２ａ、．．．、ＴＤＳ−Ｍａは、所定の帯域幅ＰＤＦ１、ＰＤＦ２と等しい同じ総帯域幅を有する。
【０１０７】
送信機装置ＴＡ３の別の処理は、送信機装置ＴＡ１の処理と同一にすることができる。
【０１０８】
図９は、第１、第２および第３の実施形態による、ならびに以下で説明する第４の実施形態による、マルチキャリア信号を条件付けるための方法ＭＥＴの流れ図を示す。方法ＭＥＴを実施するためのステップの数は重要ではなく、当業者には理解することができるように、ステップの数およびステップの順序は、添付の特許請求の範囲で定義された本発明の実施形態の範囲から逸脱することなく異なり得る。
【０１０９】
方法ＭＥＴは、送信機装置ＴＡ１、ＴＡ２−１、ＴＡ２−２、ＴＡ３によって、または図１０に関して以下で説明する別の送信機装置ＴＡ４によって、実行または実施することができる。
【０１１０】
方法ＭＥＴは、たとえば、送信機装置ＴＡ１、ＴＡ２−１、ＴＡ２−２、ＴＡ３、ＴＡ４が単一のサブバンド内での動作から、図５ａまたは図５ｂで示されるような断片化スペクトルによる動作に切り換えられたときに開始することができる。
【０１１１】
第１のステップＳ１で、図２に関して前述したように、フロントエンド処理を実施することができる。
【０１１２】
その後のステップＳ２で、マルチキャリア信号のサブキャリアは、周波数ブロックＦＢ−１、．．．、ＦＢ−Ｍ（図５ａ参照）またはＦＢ−１ｂ、．．．、ＦＢ−Ｍｂ（図５ｂ参照）にグループ化すること、または割り当てることができる。
【０１１３】
次のステップＳ３で、全周波数ブロックＦＢ−１、．．．、ＦＢ−ＭもしくはＦＢ−１ｂ、．．．、ＦＢ−Ｍｂの単一のＩＦＦＴ、各周波数ブロックＦＢ−１、．．．、ＦＢ−ＭもしくはＦＢ−１ｂ、．．．、ＦＢ−ＭｂのＩＦＦＴ、または各周波数ブロックＦＢ−１、．．．、ＦＢ−ＭもしくはＦＢ−１ｂ、．．．、ＦＢ−ＭｂのＩＤＦＴなどのフーリエ変換を実行することができる。
【０１１４】
その後のステップＳ４−１からＳ４−Ｍで、周波数ブロックＦＢ−１、．．．、ＦＢ−ＭまたはＦＢ−１ｂ、．．．、ＦＢ−Ｍｂのそれぞれで、フーリエ変換の種類に応じたローパス・フィルタリングまたはバンドパス・フィルタリングによって、サイドローブ抑制のフィルタリングをする（第１、第２および第３の実施形態に関して上記参照）。
【０１１５】
アップサンプリングまたはアップコンバーティングなどの別のサブステップを、フーリエ変換の種類に応じて実施することができる（第１、第２および第３の実施形態に関して上記参照）。
【０１１６】
次のステップＳ５で、図３および図４に関して前述したように、バックエンド処理を実施することができる。
【０１１７】
別の任意選択のステップＳ６からＳ１２で、送信機装置ＴＡ１、ＴＡ２−１、ＴＡ２−２、ＴＡ３のうちの１つから、送信機装置ＴＡ１、ＴＡ２−１、ＴＡ２−２、ＴＡ３の別のものへの再構成を実行することができる。ステップＳ６からＳ１２は、たとえば図５ａおよび図５ｂに示された断片化スペクトルＦＳ１、ＦＳ２の少なくとも１つのサブバンドが変更されるごとに、実行することができる。再構成は主として、ＩＦＦＴ／ＩＤＦＴによって処理される周波数ブロックＦＢ−１、．．．、ＦＢ−ＭまたはＦＢ−１ｂ、．．．、ＦＢ−Ｍｂの総数Ｎｔに関する、ならびに周波数ブロックＦＢ−１、．．．、ＦＢ−ＭまたはＦＢ−１ｂ、．．．、ＦＢ−Ｍｂの周波数帯域幅Δｆ１−ｉまたはΔｆ２−ｉ（ここでｉ＝１，．．．，Ｍ）のサイズに関する、ＩＦＦＴ／ＩＤＦＴの複雑度が決定要因となる。
【０１１８】
ステップＳ６で、周波数ブロックＦＢ−１、．．．、ＦＢ−ＭまたはＦＢ−１ｂ、．．．、ＦＢ−Ｍｂの総数Ｎｔを数えることができる。
【０１１９】
その後のステップＳ７で、総数Ｎｔが所定の総数Ｎｐｄよりも小さいかどうかを検証する。所定の総数Ｎｐｄは、たとえば、第１の実施形態による送信機装置での信号生成および信号条件付けにおける乗算および加算の重み付け総数が、第１の実施形態および第３の実施形態による各送信機装置での信号生成および信号条件付けにおける乗算および加算の重み付け総数を超えるところの閾値によって決まる。総数Ｎｔが所定の総数Ｎｐｄよりも小さい場合、ステップＳ８を次のステップとすることができる。それ以外で総数Ｎｔが所定の総数Ｎｐｄ以上である場合には、ステップＳ９を次のステップとすることができる。
【０１２０】
ステップＳ８で、送信機装置ＴＡ４は、たとえばソフトウェア無線により知られている技法によって、たとえば別のソフトウェア・パッケージをロードすることによって、またはロードされたソフトウェア・パッケージ内で別の処理タイプに分岐することによって、送信機装置ＴＡ１への再構成を実施することができる。
【０１２１】
ステップＳ９で、周波数ブロックＦＢ−１、．．．、ＦＢ−ＭまたはＦＢ−１ｂ、．．．、ＦＢ−Ｍｂの周波数帯域幅Δｆを決定することができる。したがって、送信機装置ＴＡ４は周波数帯域幅Δｆを、周波数ブロックＦＢ−１、．．．、ＦＢ−ＭまたはＦＢ−１ｂ、．．．、ＦＢ−Ｍｂの最大周波数帯域幅と等しくすることができる。あるいは、送信機装置ＴＡ４は、周波数ブロックＦＢ−１、．．．、ＦＢ−ＭまたはＦＢ−１ｂ、．．．、ＦＢ−Ｍｂの平均周波数帯域幅を計算し、周波数幅Δｆをその平均周波数帯域幅と等しくすることもできる。
【０１２２】
その後のステップＳ１０で、周波数帯域幅Δｆが所定の周波数帯域幅Δｆｐｄよりも小さいかどうかを検証する。所定の周波数帯域幅Δｆｐｄは、たとえば、第２の実施形態による送信機装置での信号生成および信号条件付けにおける乗算および加算の重み付け総数が、第３の実施形態による各送信機装置での信号生成および信号条件付けにおける乗算および加算の重み付け総数を超える点である閾値によって決まる。周波数帯域幅Δｆが所定の周波数帯域幅Δｆｐｄよりも小さい場合、ステップＳ１１を次のステップとすることができる。それ以外で周波数帯域幅Δｆが所定の周波数帯域幅Δｆｐｄ以上である場合には、ステップＳ１２を次のステップとすることができる。
【０１２３】
ステップＳ１１で、送信機装置ＴＡ４は、送信機装置ＴＡ２−１または送出装置ＴＡ２−２への再構成を実施することができる。
【０１２４】
ステップＳ１２で、送信機装置ＴＡ４は、送信機装置ＴＡ３への再構成を実施することができる。
【０１２５】
さらに後の任意選択のステップＳ１３からＳ１５で、周波数ブロックＦＢ−１、．．．、ＦＢ−ＭまたはＦＢ−１ｂ、．．．、ＦＢ−Ｍｂの周波数ブロックでの処理は、サブバンドＳＢ−１、ＳＢ−２、．．．、ＳＢ−Ｍの単独並列処理に、またはサブバンドＳＢ−１ｂ、ＳＢ−２ｂ、．．．、ＳＢ−ＧのサブセットＳＢ−１ｂ、ＳＢ−２ｂ、．．．、ＳＢ−Ｍｂの単独並列処理に適合させることができる。
【０１２６】
ステップＳ１３で、いわゆるサブバンド内ＩＣＩ抑制機能が必要になり得るかどうかを検証することができる。サブバンド内ＩＣＩ抑制機能は、たとえば、基地局へのアップリンクに同じサブバンドを使用している複数の移動局の場合に必要になる。周波数ブロックＦＢ−１、．．．、ＦＢ−ＭまたはＦＢ−１ｂ、．．．、ＦＢ−Ｍｂのタイプを決定するための別の基準は、たとえば、３ＧＰＰ  ＴＳ３６．５２１で定義されているようなかなり厳しいＣＦＯ要件規定を超える高い許容ＣＦＯ（ＣＦＯ＝（基地局と移動局のうちの１つとの間の）キャリア周波数オフセット（Ｃａｒｒｉｅｒ  Ｆｒｅｑｕｅｎｃｙ  Ｏｆｆｓｅｔ））、および／または、たとえば高速による大きいドップラー広がり（たとえば高速道路上の車による、もしくは高速列車による）、および／または同じサブバンド内の移動局の緩和共時性である。評価または検証アルゴリズムでは、たとえば前述の基準の重み付け組合せを適用することができる。
【０１２７】
サブバンド内ＩＣＩ抑制機能が必要である場合、ステップＳ１４を次のステップとすることができる。それ以外でサブバンド内ＩＣＩ抑制機能が必要ではない場合には、ステップＳ１５を次のステップとすることができる。
【０１２８】
ステップＳ１３で、送信機装置ＴＡ１、ＴＡ２、ＴＡ３、ＴＡ４は、サブバンドＳＢ−１ｂ、ＳＢ−２ｂ、．．．、ＳＢ−ＧのサブセットＦＢ−１ｂ、ＦＢ−２ｂ、．．．、ＦＢ−Ｍｂ（たとえばＬＴＥ  ＰＲＢ）の単独および並列処理へ切り換えることができる。
【０１２９】
ステップＳ１４で、送信機装置ＴＡ１、ＴＡ２、ＴＡ３、ＴＡ４は、サブバンドＳＢ−１、ＳＢ−２、．．．、ＳＢ−Ｍの単独および並列処理へ切り換えることができる。
【０１３０】
別の任意選択のステップＳ１６で、所定の無線アクセス技術用の、または所定の無線通信システム用の第１の周波数ブロックＦＢ−１、ＦＢ−１ｂおよび／または少なくとも第２の周波数ブロックＦＢ−２、．．．、ＦＢ−Ｍ、ＦＢ−２ｂ、ＦＢ−Ｍｂの有用性が周期的に変化するかどうかを検証することができる。断片化スペクトルＦＳ１、ＦＳ２は、いわゆる日和見的アクセス手法が適用される場合、たとえば、数時間のうちで、または１日のうちで非常に変わりやすい可能性がある。このような場合、所定の無線通信システムまたは所定の無線アクセス技術は、１つの特定の周波数サブバンド内、またはいくつかの特定の周波数サブバンド内で継続的に稼働されず、たとえばその無線通信システムまたは無線アクセス技術は、日中だけ稼働され、夜間は稼働されないことになる。これは、夜間には、その１つの特定の周波数サブバンド、またはいくつかの特定の周波数サブバンドを別の無線通信システムまたは別の無線アクセス技術が使用できることを意味する。
【０１３１】
断片化スペクトルＦＳ１、ＦＳ２が非常に変わりやすい場合、ステップＳ１２を次のステップとすることができる。それ以外で断片化スペクトルＦＳ１、ＦＳ２が非常に変わりやすくはない場合には、ステップＳ６を次のステップとすることができる。
【０１３２】
図１０は、第４の実施形態による、マルチキャリア信号を条件付ける送信機装置ＴＡ４のブロック図を概略的に示す。図１０に示された各処理ユニットにわたって処理機能を分割することは重要ではなく、また当業者には理解できるように、処理ユニットの数、処理機能の数、および各処理ユニットへの処理機能の割当ては、添付の特許請求の範囲で定義された本発明の実施形態の範囲から逸脱することなく異なり得る。
【０１３３】
送信機装置ＴＡ４は、データ・シンボル層ＤＴ−１、ＤＴ−２、．．．、ＤＴ−Ｊの入力部、フロントエンド処理ユニットＦＥ−ＰＵ（一例として図２参照）、変調器ユニットＭＣ−ＭＯＤ、バックエンド処理ユニットＢＥ−ＰＵ（２つの例として図３および図４参照）、再構成処理ユニットＲＣＦ−ＰＵ、および無線周波数信号ＲＦＳの出力部を含む。変調器ユニットＭＣ−ＭＯＤは、変調器ＭＣ−ＭＯＤ１、ＭＣ−ＭＯＤ２−１、ＭＣ−ＭＯＤ２−２およびＭＣ−ＭＯＤ３のうちの１つに再構成可能とすることができる。
【０１３４】
再構成処理ユニットＲＣＦ−ＰＵは、たとえば、方法ＭＥＴのステップＳ６からＳ１５を実行するプロセッサまたはコントローラとすることができる。ステップＳ６からＳ１２を実行できるようになるには、再構成処理ユニットＲＣＦ−ＰＵは、周波数ブロックＦＢ−１、．．．、ＦＢ−ＭまたはＦＢ−１ｂ、．．．、ＦＢ−Ｍｂの総数Ｎｔ、および周波数ブロックＦＢ−１、．．．、ＦＢ−ＭまたはＦＢ−１ｂ、．．．、ＦＢ−Ｍｂの周波数帯域幅Δｆ１−ｉまたはΔｆ２−ｉ（ｉ＝１、．．．、Ｍ）などの情報ＩＮＦＯ−１、ＩＮＦＯ−２を必要とする。再構成処理ユニットＲＣＦ−ＰＵは、たとえば、情報ＩＮＦＯ−１をフロントエンド処理ユニットＦＥ−ＰＵから得ることができ、あるいは情報ＩＮＦＯ−２を多重アクセス制御ユニットおよび／または無線リンク制御ユニットなどの上位層エンティティから得ることができる。
【０１３５】
再構成処理ユニットＲＣＦ−ＰＵで、現在適用されている構成とは異なる変調器ユニットＭＣ−ＭＯＤの好ましい構成を決定できる場合、再構成処理ユニットＲＣＦ−ＰＵは、変調器ユニットＭＣ−ＭＯＤで使用されるべき送信機装置のタイプを含む再構成命令ＲＣＦ−ＣＤを変調器ユニットＭＣ−ＭＯＤへ送ることができる。このような場合、変調器ユニットＭＣ−ＭＯＤはそれ自体で、送信機装置ＴＡ１、ＴＡ２−１、ＴＡ２−２、ＴＡ３のうちの１つへの再構成を実行することができる。
【０１３６】
あるいは、処理ユニットＲＣＦ−ＰＵは、変調器ユニットＭＣ−ＭＯＤへ、ファームウェア更新と同様に、再構成パラメータＲＣＦ−ＰＭＳを直接送ることもできる。
【０１３７】
処理ユニットＲＣＦ−ＰＵはまた、１つまたはいくつかのサブバンドＳＢ−１、．．．、ＳＢ−Ｍのフィルタリングと、１つまたはいくつかのサブバンドＳＢ−１ｂ、．．．、ＳＢ−Ｇのうちの少なくとも２つのサブユニットＦＢ−１ｂ、．．．ＦＢ−Ｍｂのフィルタリングとの間の切換えを行うように適合させることもできる。これは、少なくとも２つのサブユニットＦＢ−１ｂ、．．．ＦＢ−Ｍｂのフィルタリングを、図５ｂに示されるような断片化スペクトルを必要とせずに、単一のサブバンドに対してもできることを意味する。
【０１３８】
図１１は、方法ＭＥＴ（図９参照）を実行できるネットワーク・ノードＮＮのブロック図を概略的に示す。図１１に示された各処理ユニットにわたって処理機能を分割することは重要ではなく、また当業者には理解できるように、処理ユニットの数、処理機能の数、および各処理ユニットへの処理機能の割当ては、添付の特許請求の範囲で定義された本発明の実施形態の範囲から逸脱することなく異なり得る。ネットワーク・ノードＮＮは、たとえば基地局、移動局または中継局とすることができる。
【０１３９】
「基地局（base station）」という用語は、基地局（base transceiver station）、アクセス・ポイント基地局、アクセス・ポイント、マクロ基地局、マイクロ基地局、フェムト基地局、ピコ基地局などと同義とみなされることがあり、および／またはそう呼ばれることがあり、さらに、１つまたは複数の無線リンクを介した１つまたは複数の移動局との無線接続性を提供する機器を表すこともある。
【０１４０】
「移動局」という用語は、モバイル・ユニット、モバイル・ユーザ、アクセス端末、ユーザ機器、加入者、ユーザ、遠隔局などと同義とみなされることがあり、かつ以下で場合によりそう呼ばれることがある。移動局ＲＡＮ１−ＭＳは、たとえば携帯電話、ポータブル・コンピュータ、ポケット・コンピュータ、手持ち型コンピュータ、携帯情報端末、または車載モバイル・デバイスなどの車両搭載モバイル・デバイスとすることができる。
【０１４１】
「中継局」という用語は、無線アクセス・ネットワークの能力を高めるために、また無線リンク性能を改善するために、信号を受信してから、異なる信号を高いレベルまたは高い電力だけでなく、異なる周波数および／または異なるタイムスロットおよび／または拡散コードで送信する電子無線通信デバイスと同義とみなされることがあり、かつ／または以下で場合によりそう呼ばれることがある。
【０１４２】
ネットワーク・ノードＮＮは、アンテナ・システムへのファイバ接続またはワイヤ接続のための接続点ＣＰ、送受切換器ＤＰ、受信機装置ＲＡ、送信機装置ＴＡ、および処理ユニットＰＵを含むことができる。受信機装置ＲＡおよび送信機装置ＴＡは、たとえば送受信機装置ＴＲＡの一部分とすることも別々のユニットとすることもできる。送信機装置ＴＡは、前述の送信機装置ＴＡ１、ＴＡ２−１、ＴＡ２−２、ＴＡ３またはＴＡ４のうちの１つとすることができ、また方法ＭＥＴのステップＳ１からＳ１５を実行することができる。
【０１４３】
以下では、ネットワーク・ノードＮＮが基地局である場合について例示的に説明される。基地局では、たとえば無線通信システムのゲートウェイ（たとえば３ＧＰＰ  Ｍｏｂｉｌｉｔｙ  Ｍａｎａｇｅｍｅｎｔ  Ｅｎｔｉｔｙ（ＭＭＥ））からデータ・シンボル層ＤＴ−１、ＤＴ−２、．．．、ＤＴ−Ｊを得ることができる。このような場合、データ・シンボル層ＤＴ−１、ＤＴ−２、．．．、ＤＴ−Ｊは、１人または数人のユーザのユーザ・データとすることができる。あるいはデータ・シンボル層ＤＴ−１、ＤＴ−２、．．．、ＤＴ−Ｊの一部または全部は、処理ユニットＰＵで内部生成して、信号情報を１人または数人のユーザへ送信することもできる。
【０１４４】
データ・シンボル層ＤＴ−１、ＤＴ−２、．．．、ＤＴ−Ｊは送信機装置ＴＡに供給され、送信機装置ＴＡは無線周波数信号ＲＦＳを生成する。無線周波数信号ＲＦＳは、送信機装置ＴＡから送受切換器ＤＰおよび接続点ＣＰを介して、基地局ＢＳのアンテナ・システムへ供給することができる。
【０１４５】
本明細書および図は、本発明の原理を示すにすぎない。したがって、本明細書では明示的に説明または図示されていないが、本発明の原理を具体化する、またその趣旨および範囲に含まれる様々な構成が当業者には考案できることを理解されたい。さらに、本明細書に列挙されたすべての例は、本発明の原理と、当技術分野を促進するために本発明者らによってもたらされた概念とを理解することにおいて読者を助ける教育的目的のためだけであることが特に意図されており、特に列挙されたこのような例および条件に限定するものではないと解釈されるべきである。さらに、本発明の原理、態様および実施形態、ならびに特定の例を列挙する、本明細書で述べられることすべては、これらの同等物を包含するものである。
【０１４６】
「送信する手段」、「受信する手段」、「決定する手段」などと示された機能ブロック（特定の機能を実施する）は、特定の機能をそれぞれ実施するように適合されている回路を含む機能ブロックと理解されたい。したがって、「何かのための手段」とは、「何かに適合されている、または適している手段」と理解されてもよい。したがって、特定の機能を実施するように適合されている手段とは、このような手段が前記機能を（所与の時刻に）必ず実施していることを含意するものではない。
【０１４７】
図に示された様々な要素の機能は、どの機能ブロックも含めて、たとえばプロセッサのような専用ハードウェア、ならびに適切なソフトウェアに関連してソフトウェアを実行できるハードウェアを使用することによって実現することができる。プロセッサによって実現される場合、その機能は、単一の専用プロセッサ、単一の共用プロセッサ、または一部を共用できる複数の個別プロセッサによって実現することができる。さらに、「プロセッサ」または「コントローラ」という用語を明示的に使用することが、ソフトウェアを実行できるハードウェアだけを指していると解釈されるべきではなく、それだけには限らないが、ＤＳＰハードウェア、ネットワークプロセッサ、ＡＳＩＣ、ＦＰＧＡ、ソフトウェア記憶用読み出し専用メモリ（ＲＯＭ）、ランダムアクセスメモリ（ＲＡＭ）、および不揮発性記憶装置を暗黙的に含み得る。従来の、および／またはカスタムの、他のハードウェアもまた含まれ得る。
【０１４８】
本明細書のどのブロック図も、本発明の原理を具現化する例示的な回路の概念図であることが当業者には理解されるはずである。同様に、どのフローチャート、流れ図、状態遷移図、擬似コードなども様々な処理を表し、これらの処理は、コンピュータ可読媒体で十分に表すことができ、そのようにコンピュータまたはプロセッサによって実行することが、このようなコンピュータまたはプロセッサが明示的に示されていてもいなくても、可能であることを理解されたい。
【０１４９】
さらに、添付の特許請求の範囲は、本明細書では発明を実施するための形態に組み込まれており、各請求項はそれ自体で別個の実施形態として存立し得る。各請求項は、それ自体で別個の実施形態として存立し得るのに対し、（特許請求の範囲において、従属請求項で１つまたは複数の別の請求項との特定の組合せに言及することがあるが）他の実施形態もまた、従属請求項と他の各従属請求項の主題との組合せを含み得ることに留意されたい。このような組合せは、特定の組合せが意図されていないと明記していない限り、本明細書で提案されている。さらに、他の任意の独立請求項に対する請求項の特徴もまた、この請求項が直接その独立請求項の従属項になっていなくても、含むことが意図されている。
【０１５０】
さらに、本明細書または特許請求の範囲に開示された方法ＭＥＴは、これらの方法のそれぞれのステップを実施する手段を有するデバイスによって実施できることに留意されたい。好ましくは、コンピュータ・プログラム製品がＤＳＰ、ＡＳＩＣまたはＦＰＧＡなどのプログラム可能ハードウェア・デバイス上で実行される場合、コンピュータ・プログラム製品は、方法ＭＥＴを実施するためのコンピュータ実行可能命令を含むことができる。好ましくは、デジタル・データ記憶デバイスが、方法ＭＥＴを実施するための命令の機械実行可能プログラムを符号化することができる。
【０１５１】
さらに、本明細書または特許請求の範囲に開示された複数のステップまたは機能の開示は、特定の順序内にあるべきと解釈しなくてよいと理解されたい。したがって、複数のステップまたは機能の開示は、このようなステップまたは機能が技法的な理由のために交換可能ではない限り、これらを特定の順序に限定しない。さらに、いくつかの実施形態では、単一のステップが複数のサブステップを含むこと、または単一のステップを複数のサブステップに分割することが可能である。このようなサブステップは、明示的に除外されていない限り、この単一のステップの開示に含まれること、およびその一部とすることが可能である。
【図１】
0006294481.tif 000006
【図２】
0006294481.tif 000007
【図３】
0006294481.tif 000008
【図４】
0006294481.tif 000009
【図５】
0006294481.tif 000010
【図６】
0006294481.tif 000011
【図７】
0006294481.tif 000012
【図８】
0006294481.tif 000013
【図９】
0006294481.tif 000014
【図１０】
0006294481.tif 000015
【図１１】
0006294481.tif 000016